(57)【要約】【課題】簡単なユーザ操作で、所望のコンテンツファイルを取得すること。【解決手段】第１、２の携帯端末および表示装置が互いにネットワークを介して接続される通信システムにおいて、前記第１の携帯端末は、前記表示装置に、自端末が所有するコンテンツファイルを送信し、前記表示装置は、前記第１の携帯端末から受信したコンテンツファイルを順次表示し、且つ、現在表示中のコンテンツファイルのファイル名を示すコンテンツファイルの情報および現在表示中のコンテンツファイルを保持し、前記第２の携帯端末は、前記表示装置で現在表示中のコンテンツファイルを取得するための取得要求メッセージを前記表示装置に送信し、前記取得要求メッセージの応答として、該当するコンテンツファイルを前記表示装置から取得する。【選択図】図２
2013097559.tif 000002
【特許請求の範囲】
【請求項１】
第１、２の携帯端末および表示装置が互いにネットワークを介して接続される通信システムにおいて、
前記第１の携帯端末は、
前記表示装置に、自端末が所有するコンテンツファイルを送信し、
前記表示装置は、
前記第１の携帯端末から受信したコンテンツファイルを順次表示し、且つ、
現在表示中のコンテンツファイルのファイル名を示すコンテンツファイルの情報および現在表示中のコンテンツファイルを保持し、
前記第２の携帯端末は、
前記表示装置で現在表示中のコンテンツファイルを取得するための取得要求メッセージを前記表示装置に送信し、前記取得要求メッセージの応答として、該当するコンテンツファイルを前記表示装置から取得する、
通信システム。
【請求項２】
第１、２の携帯端末および表示装置が互いにネットワークを介して接続される通信システムにおいて、
前記第１の携帯端末は、
前記表示装置に、自端末が所有するコンテンツファイルを送信し、
前記表示装置は、
前記第１の携帯端末から受信したコンテンツファイルを順次表示し、且つ、
現在表示中のコンテンツファイルおよび過去に表示されたコンテンツファイルのファイル名、並びに表示順を示すコンテンツファイルの情報と、現在表示中のコンテンツファイルとを保持し、
前記第２の携帯端末は、
前記表示装置で現在表示中のコンテンツファイルから所定分だけ遡って表示されたコンテンツファイルを取得するための取得要求メッセージを前記表示装置に送信し、前記取得要求メッセージの応答として、該当するコンテンツファイルを前記表示装置から取得する、
通信システム。
【請求項３】
第１、２の携帯端末および表示装置が互いにネットワークを介して接続される通信システムにおいて、
前記第１の携帯端末は、
前記表示装置に、自端末が所有するコンテンツファイルを送信し、
前記表示装置は、
前記第１の携帯端末から受信したコンテンツファイルを順次表示し、且つ、
現在表示中のコンテンツファイルおよび過去に表示されたコンテンツファイルの表示開始時間および表示終了時間、並びにファイル名を示すコンテンツファイルの情報と、現在表示中のコンテンツファイルとを保持し、
前記第２の携帯端末は、
前記表示装置でコンテンツファイルの取得要求メッセージの生成時間に前記表示装置で表示されていたコンテンツファイルを取得するための取得要求メッセージを前記表示装置に送信し、前記取得要求メッセージの応答として、該当するコンテンツファイルを前記表示装置から取得する、
通信システム。
【請求項４】
第１、２の携帯端末および表示装置が互いにネットワークを介して接続される通信システムにおいて、
前記第１の携帯端末は、
前記表示装置に、自端末が所有するコンテンツファイルを送信し、
前記表示装置は、
前記第１の携帯端末から受信したコンテンツファイルを順次表示し、且つ、
現在表示中のコンテンツファイルの所有者およびファイル名を示すコンテンツファイルの情報を保持し、
前記第２の携帯端末は、
前記表示装置で現在表示中のコンテンツファイルの所有者を問い合わせる問い合わせメッセージを前記表示装置に送信し、前記問い合わせメッセージの応答として、該当するコンテンツファイルの所有者およびファイル名を示す情報を前記表示装置から取得し、
前記問い合わせメッセージの応答に基づき、該当するコンテンツファイルを取得するための取得要求メッセージを前記第１の携帯端末に送信し、前記取得要求メッセージの応答として、該当するコンテンツファイルを前記第１の携帯端末から取得する、
通信システム。
【請求項５】
第１、２の携帯端末および表示装置が互いにネットワークを介して接続される通信システムにおいて、
前記第１の携帯端末は、
前記表示装置に、自端末が所有するコンテンツファイルを送信し、
前記表示装置は、
前記第１の携帯端末から受信したコンテンツファイルを順次表示し、且つ、
現在表示中のコンテンツファイルおよび過去に表示されたコンテンツファイルの所有者、ファイル名、並びに表示順を示すコンテンツファイルの情報を保持し、
前記第２の携帯端末は、
前記表示装置で現在表示中のコンテンツファイルから所定分だけ遡って表示されたコンテンツファイルの所有者を問い合わせる問い合わせメッセージを前記表示装置に送信し、前記問い合わせメッセージの応答として、該当するコンテンツファイルの所有者およびファイル名を示す情報を前記表示装置から取得し、
前記問い合わせメッセージの応答に基づき、該当するコンテンツファイルを取得するための取得要求メッセージを前記第１の携帯端末に送信し、前記取得要求メッセージの応答として、該当するコンテンツファイルを前記第１の携帯端末から取得する、
通信システム。
【請求項６】
第１、２の携帯端末および表示装置が互いにネットワークを介して接続される通信システムにおいて、
前記第１の携帯端末は、
前記表示装置に、自端末が所有するコンテンツファイルを送信し、
前記表示装置は、
前記第１の携帯端末から受信したコンテンツファイルを順次表示し、且つ、
現在表示中のコンテンツファイルおよび過去に表示されたコンテンツファイルの表示開始時間および表示終了時間、所有者、並びにファイル名を示すコンテンツファイルの情報を保持し、
前記第２の携帯端末は、
前記表示装置でコンテンツファイルの所有者問い合わせメッセージの生成時間に前記表示装置で表示されていたコンテンツファイルの所有者を問い合わせる問い合わせメッセージを前記表示装置に送信し、前記問い合わせメッセージの応答として、該当するコンテンツファイルの所有者およびファイル名を示す情報を前記表示装置から取得し、
前記問い合わせメッセージの応答に基づき、該当するコンテンツファイルを取得するための取得要求メッセージを前記第１の携帯端末に送信し、前記取得要求メッセージの応答として、該当するコンテンツファイルを前記第１の携帯端末から取得する、
通信システム。
【請求項７】
第１、２の携帯端末および表示装置が互いにネットワークを介して接続される通信システムにおいて、
前記第１の携帯端末は、
前記表示装置に、自端末が所有するコンテンツファイルを送信し、且つ、
前記表示装置への表示開始時間および表示されたコンテンツファイルのファイル名を示すコンテンツファイルの情報を保持し、
前記表示装置は、
前記第１の携帯端末から受信したコンテンツファイルを順次表示し、
前記第２の携帯端末は、
前記表示装置で現在表示中のコンテンツファイルの所有者を問い合わせる問い合わせメッセージを前記ネットワーク内に一斉送信し、且つ、
前記問い合わせメッセージの生成時間を示す情報を保持し、
前記第１の携帯端末および前記表示装置は、
前記所有者問い合わせメッセージの応答として、前記自端末で保持しているコンテンツファイルの表示開始時間およびファイル名を示すコンテンツファイルの情報を前記第２の携帯端末に送信し、
前記第２の携帯端末は、
前記第１の携帯端末および前記表示装置から受信したコンテンツファイルの情報並びに前記問い合わせメッセージの生成時間に基づき、前記問い合わせメッセージの生成時間直前に前記表示装置に表示されていたコンテンツファイルを特定し、
前記特定したコンテンツファイルを取得するための取得要求メッセージを前記第１の携帯端末に送信し、前記取得要求メッセージの応答として、該当するコンテンツファイルを前記第１の携帯端末から取得する、
通信システム。
【請求項８】
第１、２の携帯端末および表示装置が互いにネットワークを介して接続される通信システムにおいて、
前記第１の携帯端末は、
前記表示装置に、自端末が所有するコンテンツファイルを送信し、且つ、
前記表示装置への表示開始時間および表示されたコンテンツファイルのファイル名を示すコンテンツファイルの情報を保持し、
前記表示装置は、
前記第１の携帯端末から受信したコンテンツファイルを順次表示し、
前記第２の携帯端末は、
前記表示装置でコンテンツファイルの所有者問い合わせメッセージの生成時間に前記表示装置で表示されていたコンテンツファイルの所有者を問い合わせる問い合わせメッセージを前記ネットワーク内に一斉送信し、且つ、
前記問い合わせメッセージの生成時間を示す情報を保持し、
前記第１の携帯端末および前記表示装置は、
前記所有者問い合わせメッセージの応答として、前記問い合わせメッセージの生成時間直前の、前記自端末で保持しているコンテンツファイルの表示開始時間およびファイル名を示すコンテンツファイルの情報を前記第２の携帯端末に送信し、
前記第２の携帯端末は、
前記第１の携帯端末および前記表示装置から受信したコンテンツファイルの情報並びに前記問い合わせメッセージの生成時間に基づき、前記問い合わせメッセージの生成時間直前に前記表示装置に表示されていたコンテンツファイルを特定し、
前記特定したコンテンツファイルを取得するための取得要求メッセージを前記第１の携帯端末に送信し、前記取得要求メッセージの応答として、該当するコンテンツファイルを前記第１の携帯端末から取得する、
通信システム。
【請求項９】
第１、２の携帯端末および表示装置が互いにネットワークを介して接続される通信システムにおける通信方法であって、
前記第１の携帯端末は、前記表示装置に、自端末が所有するコンテンツファイルを送信するステップと、
前記表示装置は、前記第１の携帯端末から受信したコンテンツファイルを順次表示し、且つ、現在表示中のコンテンツファイルのファイル名を示すコンテンツファイルの情報および現在表示中のコンテンツファイルを保持するステップと、
前記第２の携帯端末は、前記表示装置で現在表示中のコンテンツファイルを取得するための取得要求メッセージを前記表示装置に送信し、前記取得要求メッセージの応答として、該当するコンテンツファイルを前記表示装置から取得するステップとを備える、
通信方法。
【請求項１０】
第１、２の携帯端末および表示装置が互いにネットワークを介して接続される通信システムにおいて、
前記第１の携帯端末は、前記表示装置に、自端末が所有するコンテンツファイルを送信するステップと、
前記表示装置は、前記第１の携帯端末から受信したコンテンツファイルを順次表示し、且つ、現在表示中のコンテンツファイルの所有者およびファイル名を示すコンテンツファイルの情報を保持するステップと、
前記第２の携帯端末は、前記表示装置で現在表示中のコンテンツファイルの所有者を問い合わせる問い合わせメッセージを前記表示装置に送信し、前記問い合わせメッセージの応答として、該当するコンテンツファイルの所有者およびファイル名を示す情報を前記表示装置から取得するステップと、
前記第２の携帯端末は、前記問い合わせメッセージの応答に基づき、該当するコンテンツファイルを取得するための取得要求メッセージを前記第１の携帯端末に送信し、前記取得要求メッセージの応答として、該当するコンテンツファイルを前記第１の携帯端末から取得するステップとを備える、
通信方法。
【請求項１１】
第１、２の携帯端末および表示装置が互いにネットワークを介して接続される通信システムにおける通信方法であって、
前記第１の携帯端末は、前記表示装置に、自端末が所有するコンテンツファイルを送信し、且つ、前記表示装置への表示開始時間および表示されたコンテンツファイルのファイル名を示すコンテンツファイルの情報を保持するステップと、
前記表示装置は、前記第１の携帯端末から受信したコンテンツファイルを順次表示するステップと、
前記第２の携帯端末は、前記表示装置で現在表示中のコンテンツファイルの所有者を問い合わせる問い合わせメッセージを前記ネットワーク内に一斉送信し、且つ、前記問い合わせメッセージの生成時間を示す情報を保持するステップと、
前記第１の携帯端末および前記表示装置は、前記所有者問い合わせメッセージの応答として、前記自端末で保持しているコンテンツファイル表示開始時間およびファイル名を示すコンテンツファイルの情報を前記第２の携帯端末に送信するステップと、
前記第２の携帯端末は、前記第１の携帯端末および前記表示装置から受信したコンテンツファイルの情報並びに前記問い合わせメッセージの生成時間に基づき、前記問い合わせメッセージの生成時間直前に前記表示装置に表示されていたコンテンツファイルを特定するステップと、
前記第２の携帯端末は、前記特定したコンテンツファイルを取得するための取得要求メッセージを前記第１の携帯端末に送信し、前記取得要求メッセージの応答として、該当するコンテンツファイルを前記第１の携帯端末から取得するステップとを備える、
通信方法。
【請求項１２】
第１の携帯端末から送信されたコンテンツファイルを表示する表示手段と、
前記コンテンツファイルを特定する情報を保持するコンテンツファイル情報記憶手段と、
第２の携帯端末から送信された問い合わせメッセージに応じて、前記コンテンツファイルを特定する情報を前記第２の携帯端末に送信する通信手段と、
を備えた表示装置。
【請求項１３】
前記通信手段は、前記第２の携帯端末から前記問い合わせメッセージを受信したときに、前記表示手段に表示されている前記コンテンツファイルに対応した前記コンテンツファイルを特定する情報を前記第２の携帯端末に送信する請求項１２記載の表示装置。
【請求項１４】
前記コンテンツファイルを特定する情報は、前記コンテンツファイルの所有者に関する情報である請求項１２または１３に記載の表示装置。
【請求項１５】
前記コンテンツファイルを特定する情報は、前記コンテンツファイルの表示時間に関する情報である請求項１２ないし１４のいずれか一項に記載の表示装置。
【請求項１６】
請求項１２ないし請求項１５のいずれか一項に記載の表示装置を備えた電子機器。
【発明の詳細な説明】
【技術分野】
【０００１】
本発明は、不特定多数の相手機器からコンテンツファイルを取得するための通信システム、および通信方法に関する。
【背景技術】
【０００２】
ＤＬＮＡ対応機器とは、ＤＬＮＡ（Ｄｉｇｉｔａｌ  Ｌｉｖｉｎｇ  Ｎｅｔｗｏｒｋ  Ａｌｌｉａｎｃｅ；登録商標）のガイドラインに準拠する機器を指す。ＤＬＮＡガイドラインでは、既存の規格を組み合わせてプロトコルの統一を図り、様々な機器の相互接続性を実現している。たとえば、機器を繋ぐ有線・無線ネットワークの方式は、有線がイーサネット（登録商標）、無線がＷｉ−Ｆｉ（登録商標）といった規格を利用することができる。また、機器同士の検索にはＵＰｎＰ、ファイル転送の手順にはＨＴＴＰ、機器同士のメタデータのやりとりにはＸＭＬを利用することができる。したがって、ＤＬＮＡ対応機器が接続された家庭内のネットワークでは、サーバ装置から動画データを受け取ったり、画像ファイルをサーバ装置にアップロードしたり、コンテンツデータをＤＬＮＡ対応機器で共有することができる。
【０００３】
特許文献１では、被写体を撮像する携帯電話Ｂを遠隔操作する携帯電話Ａが、ユーザの所望のタイミングで携帯電話Ｂにシャッターコマンドを送信する。そして、携帯電話Ａは、携帯電話Ｂが撮像した被写体のデータを受信して、保存する。この場合、携帯電話Ａは、遠隔操作を行うために、相手機器として携帯電話Ｂを一意に特定しておく必要がある。
【先行技術文献】
【特許文献】
【０００４】
【特許文献１】特開２００９−２６７６６３号公報
【発明の概要】
【発明が解決しようとする課題】
【０００５】
ＤＬＮＡ対応機器同士でファイルの送受信を行う際、ユーザはＤＬＮＡ対応機器一覧から所望の相手機器を選択し、所望のファイルが存在するフォルダまで移動する。複数の相手機器との間で複数ファイルの送受信を行う際には、ファイルに応じて所望の相手機器を選択しなおす必要があり、ユーザにとってこれらの操作は煩わしい。また、複数のＤＬＮＡ対応機器で、各々の機器が所有しているコンテンツファイルを、１台の表示装置で表示し、共有する場合、表示装置に表示しているコンテンツファイルはどのＤＬＮＡ対応機器が所有しているものかを知る術がない。上記特許文献１に開示されている技術では、所望の相手機器を一意に特定しておくことで、簡単な操作で所望のコンテンツを取得することができる。しかし、相手機器が複数にまたがる場合、相手機器を特定できない場合には、所望のコンテンツファイルを取得することはできない。
【０００６】
本発明の目的は、簡単な操作で、不特定多数の相手機器から所望のコンテンツファイルを取得できる通信システム、表示装置、電子機器、通信方法を提供することである。
【課題を解決するための手段】
【０００７】
本発明の一態様として、第１、２の携帯端末および表示装置が互いにネットワークを介して接続される通信システムにおいて、前記第１の携帯端末は、前記表示装置に、自端末が所有するコンテンツファイルを送信し、前記表示装置は、前記第１の携帯端末から受信したコンテンツファイルを順次表示し、且つ、現在表示中のコンテンツファイルのファイル名を示すコンテンツファイルの情報および現在表示中のコンテンツファイルを保持し、前記第２の携帯端末は、前記表示装置で現在表示中のコンテンツファイルを取得するための取得要求メッセージを前記表示装置に送信し、前記取得要求メッセージの応答として、該当するコンテンツファイルを前記表示装置から取得する。
【０００８】
本発明の一態様として、第１、２の携帯端末および表示装置が互いにネットワークを介して接続される通信システムにおいて、前記第１の携帯端末は、前記表示装置に、自端末が所有するコンテンツファイルを送信し、前記表示装置は、前記第１の携帯端末から受信したコンテンツファイルを順次表示し、且つ、現在表示中のコンテンツファイルおよび過去に表示されたコンテンツファイルのファイル名、並びに表示順を示すコンテンツファイルの情報と、現在表示中のコンテンツファイルとを保持し、前記第２の携帯端末は、前記表示装置で現在表示中のコンテンツファイルから所定分だけ遡って表示されたコンテンツファイルを取得するための取得要求メッセージを前記表示装置に送信し、前記取得要求メッセージの応答として、該当するコンテンツファイルを前記表示装置から取得する。
【０００９】
本発明の一態様として、第１、２の携帯端末および表示装置が互いにネットワークを介して接続される通信システムにおいて、前記第１の携帯端末は、前記表示装置に、自端末が所有するコンテンツファイルを送信し、前記表示装置は、前記第１の携帯端末から受信したコンテンツファイルを順次表示し、且つ、現在表示中のコンテンツファイルおよび過去に表示されたコンテンツファイルの表示開始時間および表示終了時間、並びにファイル名を示すコンテンツファイルの情報と、現在表示中のコンテンツファイルとを保持し、前記第２の携帯端末は、コンテンツファイルの取得要求メッセージの生成時間に前記表示装置で表示されていたコンテンツファイルを取得するための取得要求メッセージを前記表示装置に送信し、前記取得要求メッセージの応答として、該当するコンテンツファイルを前記表示装置から取得する。
【００１０】
本発明の一態様として、第１、２の携帯端末および表示装置が互いにネットワークを介して接続される通信システムにおいて、前記第１の携帯端末は、前記表示装置に、自端末が所有するコンテンツファイルを送信し、前記表示装置は、前記第１の携帯端末から受信したコンテンツファイルを順次表示し、且つ、現在表示中のコンテンツファイルの所有者およびファイル名を示すコンテンツファイルの情報を保持し、前記第２の携帯端末は、前記表示装置で現在表示中のコンテンツファイルの所有者を問い合わせる問い合わせメッセージを前記表示装置に送信し、前記問い合わせメッセージの応答として、該当するコンテンツファイルの所有者およびファイル名を示す情報を前記表示装置から取得し、前記問い合わせメッセージの応答に基づき、該当するコンテンツファイルを取得するための取得要求メッセージを前記第１の携帯端末に送信し、前記取得要求メッセージの応答として、該当するコンテンツファイルを前記第１の携帯端末から取得する。
【００１１】
本発明の一態様として、第１、２の携帯端末および表示装置が互いにネットワークを介して接続される通信システムにおいて、前記第１の携帯端末は、前記表示装置に、自端末が所有するコンテンツファイルを送信し、前記表示装置は、前記第１の携帯端末から受信したコンテンツファイルを順次表示し、且つ、現在表示中のコンテンツファイルおよび過去に表示されたコンテンツファイルの所有者、ファイル名、並びに表示順を示すコンテンツファイルの情報を保持し、前記第２の携帯端末は、前記表示装置で現在表示中のコンテンツファイルから所定分だけ遡って表示されたコンテンツファイルの所有者を問い合わせる問い合わせメッセージを前記表示装置に送信し、前記問い合わせメッセージの応答として、該当するコンテンツファイルの所有者およびファイル名を示す情報を前記表示装置から取得し、前記問い合わせメッセージの応答に基づき、該当するコンテンツファイルを取得するための取得要求メッセージを前記第１の携帯端末に送信し、前記取得要求メッセージの応答として、該当するコンテンツファイルを前記第１の携帯端末から取得する。
【００１２】
本発明の一態様として、第１、２の携帯端末および表示装置が互いにネットワークを介して接続される通信システムにおいて、前記第１の携帯端末は、前記表示装置に、自端末が所有するコンテンツファイルを送信し、前記表示装置は、前記第１の携帯端末から受信したコンテンツファイルを順次表示し、且つ、現在表示中のコンテンツファイルおよび過去に表示されたコンテンツファイルの表示開始時間および表示終了時間、所有者、並びにファイル名を示すコンテンツファイルの情報を保持し、前記第２の携帯端末は、コンテンツファイルの所有者問い合わせメッセージの生成時間に前記表示装置で表示されていたコンテンツファイルの所有者を問い合わせる問い合わせメッセージを前記表示装置に送信し、前記問い合わせメッセージの応答として、該当するコンテンツファイルの所有者およびファイル名を示す情報を前記表示装置から取得し、前記問い合わせメッセージの応答に基づき、該当するコンテンツファイルを取得するための取得要求メッセージを前記第１の携帯端末に送信し、前記取得要求メッセージの応答として、該当するコンテンツファイルを前記第１の携帯端末から取得する。
【００１３】
本発明の一態様として、第１、２の携帯端末および表示装置が互いにネットワークを介して接続される通信システムにおいて、前記第１の携帯端末は、前記表示装置に、自端末が所有するコンテンツファイルを送信し、且つ、前記表示装置への表示開始時間および表示されたコンテンツファイルのファイル名を示すコンテンツファイルの情報を保持し、前記表示装置は、前記第１の携帯端末から受信したコンテンツファイルを順次表示し、前記第２の携帯端末は、前記表示装置で現在表示中のコンテンツファイルの所有者を問い合わせる問い合わせメッセージを前記ネットワーク内に一斉送信し、且つ、前記問い合わせメッセージの生成時間を示す情報を保持し、前記第１の携帯端末および前記表示装置は、前記所有者問い合わせメッセージの応答として、前記自端末で保持しているコンテンツファイルの表示開始時間およびファイル名を示すコンテンツファイルの情報を前記第２の携帯端末に送信し、前記第２の携帯端末は、前記第１の携帯端末および前記表示装置から受信したコンテンツファイルの情報並びに前記問い合わせメッセージの生成時間に基づき、前記問い合わせメッセージの生成時間直前に前記表示装置に表示されていたコンテンツファイルを特定し、前記特定したコンテンツファイルを取得するための取得要求メッセージを前記第１の携帯端末に送信し、前記取得要求メッセージの応答として、該当するコンテンツファイルを前記第１の携帯端末から取得する。
【００１４】
本発明の一態様として、第１、２の携帯端末および表示装置が互いにネットワークを介して接続される通信システムにおいて、前記第１の携帯端末は、前記表示装置に、自端末が所有するコンテンツファイルを送信し、且つ、前記表示装置への表示開始時間および表示されたコンテンツファイルのファイル名を示すコンテンツファイルの情報を保持し、前記表示装置は、前記第１の携帯端末から受信したコンテンツファイルを順次表示し、前記第２の携帯端末は、コンテンツファイルの所有者問い合わせメッセージの生成時間に前記表示装置で表示されていたコンテンツファイルの所有者を問い合わせる問い合わせメッセージを前記ネットワーク内に一斉送信し、且つ、前記問い合わせメッセージの生成時間を示す情報を保持し、前記第１の携帯端末および前記表示装置は、前記所有者問い合わせメッセージの応答として、前記問い合わせメッセージの生成時間直前の、前記自端末で保持しているコンテンツファイルの表示開始時間およびファイル名を示すコンテンツファイルの情報を前記第２の携帯端末に送信し、前記第２の携帯端末は、前記第１の携帯端末および前記表示装置から受信したコンテンツファイルの情報並びに前記問い合わせメッセージの生成時間に基づき、前記問い合わせメッセージの生成時間直前に前記表示装置に表示されていたコンテンツファイルを特定し、前記特定したコンテンツファイルを取得するための取得要求メッセージを前記第１の携帯端末に送信し、前記取得要求メッセージの応答として、該当するコンテンツファイルを前記第１の携帯端末から取得する。
【００１５】
本発明の一態様として、第１、２の携帯端末および表示装置が互いにネットワークを介して接続される通信システムにおける通信方法であって、前記第１の携帯端末は、前記表示装置に、自端末が所有するコンテンツファイルを送信するステップと、前記表示装置は、前記第１の携帯端末から受信したコンテンツファイルを順次表示し、且つ、現在表示中のコンテンツファイルのファイル名を示すコンテンツファイルの情報および現在表示中のコンテンツファイルを保持するステップと、前記第２の携帯端末は、前記表示装置で現在表示中のコンテンツファイルを取得するための取得要求メッセージを前記表示装置に送信し、前記取得要求メッセージの応答として、該当するコンテンツファイルを前記表示装置から取得するステップとを備える。
【００１６】
本発明の一態様として、第１、２の携帯端末および表示装置が互いにネットワークを介して接続される通信システムにおいて、前記第１の携帯端末は、前記表示装置に、自端末が所有するコンテンツファイルを送信するステップと、前記表示装置は、前記第１の携帯端末から受信したコンテンツファイルを順次表示し、且つ、現在表示中のコンテンツファイルの所有者およびファイル名を示すコンテンツファイルの情報を保持するステップと、前記第２の携帯端末は、前記表示装置で現在表示中のコンテンツファイルの所有者を問い合わせる問い合わせメッセージを前記表示装置に送信し、前記問い合わせメッセージの応答として、該当するコンテンツファイルの所有者およびファイル名を示す情報を前記表示装置から取得するステップと、前記第２の携帯端末は、前記問い合わせメッセージの応答に基づき、該当するコンテンツファイルを取得するための取得要求メッセージを前記第１の携帯端末に送信し、前記取得要求メッセージの応答として、該当するコンテンツファイルを前記第１の携帯端末から取得するステップとを備える。
【００１７】
本発明の一態様として、第１、２の携帯端末および表示装置が互いにネットワークを介して接続される通信システムにおける通信方法であって、前記第１の携帯端末は、前記表示装置に、自端末が所有するコンテンツファイルを送信し、且つ、前記表示装置への表示開始時間および表示されたコンテンツファイルのファイル名を示すコンテンツファイルの情報を保持するステップと、前記表示装置は、前記第１の携帯端末から受信したコンテンツファイルを順次表示するステップと、前記第２の携帯端末は、前記表示装置で現在表示中のコンテンツファイルの所有者を問い合わせる問い合わせメッセージを前記ネットワーク内に一斉送信し、且つ、前記問い合わせメッセージの生成時間を示す情報を保持するステップと、前記第１の携帯端末および前記表示装置は、前記所有者問い合わせメッセージの応答として、前記自端末で保持しているコンテンツファイルの表示開始時間およびファイル名を示すコンテンツファイルの情報を前記第２の携帯端末に送信するステップと、前記第２の携帯端末は、前記第１の携帯端末および前記表示装置から受信したコンテンツファイルの情報並びに前記問い合わせメッセージの生成時間に基づき、前記問い合わせメッセージの生成時間直前に前記表示装置に表示されていたコンテンツファイルを特定するステップと、前記第２の携帯端末は、前記特定したコンテンツファイルを取得するための取得要求メッセージを前記第１の携帯端末に送信し、前記取得要求メッセージの応答として、該当するコンテンツファイルを前記第１の携帯端末から取得するステップとを備える。
【００１８】
本発明の一態様として、第１の携帯端末から送信されたコンテンツファイルを表示する表示手段と、前記コンテンツファイルを特定する情報を保持するコンテンツファイル情報記憶手段と、第２の携帯端末から送信された問い合わせメッセージに応じて、前記コンテンツファイルを特定する情報を前記第２の携帯端末に送信する通信手段と、を備える。
【００１９】
本発明の一態様として、前記通信手段は、前記第２の携帯端末から前記問い合わせメッセージを受信したときに、前記表示手段に表示されている前記コンテンツファイルに対応した前記コンテンツファイルを特定する情報を前記第２の携帯端末に送信する。
【００２０】
本発明の一態様として、前記コンテンツファイルを特定する情報は、前記コンテンツファイルの所有者に関する情報である。
【００２１】
本発明の一態様として、前記コンテンツファイルを特定する情報は、前記コンテンツファイルの表示時間に関する情報である。
【００２２】
本発明の一態様として、上記いずれかの表示装置を備える。
【発明の効果】
【００２３】
本発明に係る通信システム、表示装置、電子機器、通信方法によれば、簡単な操作で、不特定多数の相手機器から所望のコンテンツファイルを取得できる。
【図面の簡単な説明】
【００２４】
【図１】（ａ）本発明の実施の形態における通信システム一例（１）、（ｂ）本発明の実施の形態における携帯端末の構成を示すブロック図
【図２】図１（ａ）に示す通信システムにおけるコンテンツファイル取得の動作例１
【図３】図１（ａ）に示す通信システムにおけるコンテンツファイル取得の動作例２
【図４】図１（ａ）に示す通信システムにおけるコンテンツファイル取得の動作例３
【図５】本発明の実施の形態における通信システム一例（２）
【図６】図５に示す通信システムにおけるコンテンツファイル取得の動作例４
【図７】図５に示す通信システムにおけるコンテンツファイル取得の動作例５
【図８】図５に示す通信システムにおけるコンテンツファイル取得の動作例６
【図９】図５に示す通信システムにおけるコンテンツファイル取得の動作例７
【図１０】図５に示す通信システムにおけるコンテンツファイル取得の動作例８
【図１１】図５に示す通信システムにおけるコンテンツファイル取得の動作例９
【図１２】本発明の実施の形態における通信システム一例（３）
【図１３】図１２に示す通信システムにおけるコンテンツファイル取得の動作例１０
【図１４】図１２に示す通信システムにおけるコンテンツファイル取得の動作例１１
【図１５】（ａ）〜（ｃ）は管理テーブルの例を示す図
【図１６】（ａ）ユーザインターフェース操作１（コンテンツファイル表示）を示す図、（ｂ）ユーザインターフェース操作２（コンテンツファイル取得）を示す図
【発明を実施するための形態】
【００２５】
以下、本発明の実施形態について、図面を参照して説明する。
【００２６】
ＤＬＮＡでは、コンテンツファイルを取得するためには、コンテンツファイルを所有する端末を特定し、且つ端末のフォルダからこのファイルを指定する必要がある。しかしながら、端末数が多かったり、端末のフォルダが階層深くに位置していると、コンテンツファイルを所有する端末を特定したり、フォルダを検索する操作がユーザにとって大変煩わしい操作となってしまう。そこで、本実施の形態に係る携帯端末は、このようなユーザにとって煩わしい操作を経ずに、コンテンツファイルを所有する携帯端末からコンテンツファイルを取得する方法について説明する。ここで、本実施の形態において、コンテンツファイルとは、静止画像データ、動画像データ、楽曲データ、およびアプリケーションのデータなどが含まれる。
【００２７】
図１（ａ）は、本実施の形態における通信システムの一例である。ここで、携帯端末Ａ、携帯端末Ｂ、携帯端末Ｃ、及び表示装置ＤはＤＬＮＡ対応機器である。携帯端末Ａ、携帯端末Ｂ、および携帯端末Ｃは、ローカルネットワーク内で、各携帯端末が所有するコンテンツファイルを表示装置Ｄに表示させることができる。また、携帯端末Ａ、携帯端末Ｂ、携帯端末Ｃ、及び表示装置Ｄが構成するローカルネットワーク内で各携帯端末が所有するコンテンツファイルを共有することができる。
【００２８】
図１（ａ）を参照して、この通信システム動作の概略を説明する。図１（ａ）に示す通信システムにおいて、携帯端末Ｂが、所有するコンテンツファイルを表示装置Ｄに送信して（ステップＳ１０１）、表示装置Ｄがそのコンテンツファイルを表示する（ステップＳ１０２）。携帯端末Ａは、表示中のコンテンツファイルを取得するための取得要求メッセージを送信する（ステップＳ１０３）。そして、表示装置Ｄは、この取得要求メッセージに基づき、その表示中のコンテンツファイルを携帯端末Ａに送信する（ステップＳ１０５）。
【００２９】
図１（ｂ）を参照して、携帯端末Ａの構成について説明する。図１（ｂ）は、図１（ａ）に示す通信システムを構成する携帯端末Ａおよび表示装置Ｄの構成を示すブロック図である。なお、携帯端末Ａ，Ｂ，Ｃの構成は同一であり、図１（ｂ）では携帯端末Ｂ，Ｃの構成を省略する。
【００３０】
＜携帯端末の構成＞
図１（ｂ）に示す携帯端末Ａは、入力処理部１０３と、ＤＬＮＡ処理部１０５と、通信制御部１０７と、所有者問い合わせ処理部１０９と、操作開始時間記憶部１１１と、を備える。
【００３１】
入力処理部１０３は、ユーザ入力操作を受け付けて、このユーザ入力操作に対応する処理動作信号を、ＤＬＮＡ処理部１０５又は所有者問い合わせ処理部１０９へ出力する。
【００３２】
例えば、自端末が保持するコンテンツファイルを表示装置Ｄに表示するためのユーザ入力操作に対応する信号は、ＤＬＮＡ処理部１０５へ出力され、他の携帯端末Ｂ，Ｃが現在表示装置Ｄに表示中のコンテンツファイルを取得するためのユーザ入力操作に対応する信号は、ＤＬＮＡ処理部１０５又は所有者問い合わせ処理部１０９へ出力される。
【００３３】
また、入力処理部１０３は、ユーザ入力操作が、現在、表示装置Ｄに表示中のコンテンツファイルを取得するための入力操作である場合には、このコンテンツファイル取得のための操作開始時間を示す情報を生成し、操作開始時間記憶部１１１に出力する。
【００３４】
操作開始時間記憶部１１１は、入力処理部１０３で生成されたコンテンツファイル取得のための操作開始時間を示す情報を記憶する。このコンテンツファイル取得のための操作開始時間を示す情報は、「コンテンツファイル取得要求メッセージ」の生成時間を示す情報または「コンテンツファイル所有者問い合わせメッセージ」の生成時間を示す情報である。
【００３５】
ＤＬＮＡ処理部１０５は、入力処理部１０３からの信号に基づき、ローカルネットワーク内の各携帯端末Ｂ，Ｃまたは表示装置Ｄに送信する各種のメッセージを生成し、この生成したメッセージを通信制御部１０７へ出力する。
【００３６】
（コンテンツファイル表示要求メッセージ）
たとえば、ＤＬＮＡ処理部１０５は、自端末が保持するコンテンツファイルを表示装置Ｄに表示するための入力操作に対応する信号が入力された場合には、「コンテンツファイル表示要求メッセージ」を生成し、この生成した「コンテンツファイル表示要求メッセージ」と共にコンテンツファイルを通信制御部１０７へ出力する。
【００３７】
（コンテンツファイル取得要求メッセージ）
ＤＬＮＡ処理部１０５は、他の携帯端末または表示装置Ｄからコンテンツファイルを取得する場合には、現在、表示装置Ｄに表示中のコンテンツファイルを取得するための「コンテンツファイル取得要求メッセージ」を生成し、通信制御部１０７へ出力する。
【００３８】
「コンテンツファイル取得要求メッセージ」は、現在、表示装置Ｄに表示中のコンテンツファイルを取得するためのメッセージとは限らない。例えば、この「コンテンツファイル取得要求メッセージ」に、最新のものからいくつ前に表示装置Ｄに表示されたコンテンツファイルの取得を要求するかを示す情報を含めても良い。さらに、この「コンテンツファイル取得要求メッセージ」に「コンテンツファイル取得要求メッセージ」の生成時間（すなわち、コンテンツファイル取得のための操作開始時間）を示す情報を含めても良い。これにより、コンテンツファイル取得操作を開始した後に、他の携帯端末から送信されたコンテンツファイルが表示装置Ｄで表示された場合でも、実際にファイル取得のための操作開始時間に表示装置Ｄに表示されていたコンテンツファイルの取得が可能となる。
【００３９】
ＤＬＮＡ処理部１０５は、通信制御部１０７から入力された自端末向けのメッセージに対応する処理を実行する。例えば、ＤＬＮＡ処理部１０５は、他の携帯端末から「コンテンツファイル取得要求応答メッセージ」により、コンテンツファイルを取得する。
【００４０】
（コンテンツファイル所有者問い合わせメッセージ）
所有者問い合わせ処理部１０９は、所有者からコンテンツファイルを取得する場合には、現在、表示装置Ｄに表示中のコンテンツファイルの所有者を問い合わせるための「コンテンツファイル所有者問い合わせメッセージ」を生成し、この生成した「コンテンツファイル所有者問い合わせメッセージ」を通信制御部１０７へ出力する。
【００４１】
「コンテンツファイル所有者問い合わせメッセージ」は、現在、表示装置Ｄに表示中のコンテンツファイルの所有者を問い合わせるためのメッセージとは限らない。例えば、この「コンテンツファイル所有者問い合わせメッセージ」に、最新のものからいくつ前に表示装置Ｄに表示されたコンテンツファイルの所有者を問い合わせるかを示す情報を含めても良い。さらに、この「コンテンツファイル所有者問い合わせメッセージ」に「コンテンツファイル所有者問い合わせメッセージ」の生成時間（すなわち、コンテンツファイル取得のための操作開始時間）を示す情報を含めても良い。これにより、コンテンツファイル取得操作を開始した後に、他の携帯端末Ｂ，Ｃから送信されたコンテンツファイルが表示装置Ｄで表示された場合にでも、実際にファイル取得のための操作開始時間に表示装置Ｄに表示されていたコンテンツファイルの取得が可能となる。
【００４２】
所有者問い合わせ処理部１０９は、「コンテンツファイル所有者問い合わせ応答メッセージ」が通信制御部１０７から入力されると、この「コンテンツファイル所有者問い合わせ応答メッセージ」が示すコンテンツファイルの所有者に対して、現在、表示装置Ｄに表示中のコンテンツファイルを取得するための「コンテンツ取得要求メッセージ」の生成をＤＬＮＡ処理部１０５へ要求する。
【００４３】
通信制御部１０７は、「コンテンツファイル表示要求メッセージ」と所有するコンテンツファイル、ＤＬＮＡ処理部１０５で生成されたメッセージである「コンテンツファイル取得要求メッセージ」、又は所有者問い合わせ処理部１０９で生成されたメッセージである「コンテンツファイル所有者問い合わせメッセージ」を、表示装置Ｄ又はコンテンツファイルの所有者（携帯端末Ｂ又はＣ）へ送信する処理を行う。
【００４４】
さらに、通信制御部１０７は、ローカルネットワーク内の他の携帯端末又は表示装置Ｄから自端末向けに送信されたメッセージ又はコンテンツファイルを受信し、ＤＬＮＡ処理部１０５又は所有者問い合わせ処理部へ出力する。
【００４５】
例えば、通信制御部１０７は、表示装置Ｄから「コンテンツファイル所有者問い合わせ応答メッセージ」を受信すると、この「コンテンツファイル所有者問い合わせ応答メッセージ」を所有者問い合わせ処理部１０９に出力する。
【００４６】
また、通信制御部１０７は、ローカルネットワーク内の他の携帯端末又は表示装置Ｄから「コンテンツファイル取得要求応答メッセージ」により、コンテンツファイルを受信した場合には、この  受信したコンテンツファイルを「コンテンツファイル取得要求応答メッセージ」と共にＤＬＮＡ処理部１０５に出力する。
【００４７】
＜表示装置の構成＞
図１（ｂ）を参照して、表示装置Ｄの構成について説明する。図１（ｂ）に示す表示装置Ｄは、通信制御部５０１と、ＤＬＮＡ処理部５０３と、表示制御部５０５と、コンテンツファイル情報記憶部５０７と、問い合わせファイル判定部５０９と、表示部５１１とを備える。
【００４８】
通信制御部５０１は、ローカルネットワーク内の各携帯端末から送信されたコンテンツファイル、各種メッセージなどを受信する処理を行い、ＤＬＮＡ処理部５０３又は問い合わせファイル判定部５０９へ出力する。
【００４９】
（コンテンツファイル表示要求メッセージ）
通信制御部５０１は、ローカルネットワーク内の各携帯端末から、「コンテンツファイル表示要求メッセージ」と共にコンテンツファイルを受信すると、そのコンテンツファイル及び「コンテンツファイル表示要求メッセージ」をＤＬＮＡ処理部５０３へ出力する。
【００５０】
（コンテンツファイル取得要求応答メッセージ）
通信制御部５０１は、ローカルネットワーク内の携帯端末から、「コンテンツファイル取得要求メッセージ」を受信すると、ＤＬＮＡ処理部５０３へ出力する。その後、通信制御部５０１は、ＤＬＮＡ処理部５０３から入力されたコンテンツファイルを「コンテンツファイル取得要求応答メッセージ」と共に「コンテンツファイル取得要求メッセージ」の送信元である携帯端末に送信する。
【００５１】
（コンテンツファイル所有者問い合わせ応答メッセージ）
通信制御部５０１は、「コンテンツファイル所有者問い合わせメッセージ」を各携帯端末から受信すると、問い合わせファイル判定部５０９へ出力する。その後、通信制御部５０１は、問い合わせファイル判定部５０９から入力された「コンテンツファイル所有者問い合わせ応答メッセージ」を「コンテンツファイル所有者問い合わせメッセージ」の送信元である携帯端末に送信する。例えば、この「コンテンツファイル所有者問い合わせ応答メッセージ」には、現在、表示装置Ｄに表示中のコンテンツファイルの所有者およびそのコンテンツファイルのファイル名を示す情報が含まれる。
【００５２】
ＤＬＮＡ処理部５０３は、通信制御部５０１から入力された「コンテンツファイル表示要求メッセージ」に基づき、各携帯端末から送信されたコンテンツファイルを表示制御部５０５へ出力する。この際、ＤＬＮＡ処理部５０３は、コンテンツファイルおよび「コンテンツファイル表示要求メッセージ」に含まれる送信元を示す情報に基づき、コンテンツファイルの情報を生成し、これらコンテンツファイルおよびコンテンツファイルの情報をコンテンツファイル情報記憶部５０７へ出力する。
【００５３】
ここで、コンテンツファイルの情報には、例えば、コンテンツファイルの所有者を示す情報、コンテンツファイル名、コンテンツファイルの表示順を示す情報、コンテンツファイルの表示開始時間を示す情報、コンテンツファイルの表示終了時間を示す情報が含まれる。
【００５４】
＜管理テーブル＞
コンテンツファイル情報記憶部５０７は、管理テーブルとして、ＤＬＮＡ処理部５０３から入力されたコンテンツファイルの情報を記憶する。
【００５５】
図１５（ａ）〜（ｃ）を参照して、この管理テーブルの例について説明する。コンテンツファイルの情報には、例えば、コンテンツファイルの所有者を示す情報、コンテンツファイル名、コンテンツファイルの表示順を示す情報、コンテンツファイルの表示開始時間を示す情報、コンテンツファイルの表示終了時間を示す情報が含まれる。
【００５６】
図１５（ａ）に示すように、コンテンツファイル情報記憶部５０７に保存されるコンテンツファイルの情報は、常に最新の表示コンテンツファイル名を保持しても良い。
【００５７】
図１５（ｂ）に示すように、コンテンツファイル情報記憶部５０７に保存されるコンテンツファイルの情報は、コンテンツファイル名と共に、その表示順を保持しても良い。
【００５８】
図１５（ｃ）に示すように、コンテンツファイル情報記憶部５０７に保存されるコンテンツファイルの情報は、コンテンツファイル名と共に、表示開始時間と表示終了時間とを保持しても良い。
【００５９】
（コンテンツファイル取得要求応答メッセージ）
また、ＤＬＮＡ処理部５０３は、通信制御部５０１から入力された「コンテンツファイル取得要求メッセージ」に基づき、現在、表示装置Ｄに表示中のコンテンツファイル、つまり最新のコンテンツファイルをコンテンツファイル情報記憶部５０７から取得する（図１５（ａ）参照）。そして、ＤＬＮＡ処理部５０３は、この最新のコンテンツファイルを「コンテンツファイル取得要求応答メッセージ」と共に、「コンテンツファイル取得要求メッセージ」の送信元に送信するために、通信制御部５０１に出力する。
【００６０】
また、ＤＬＮＡ処理部５０３は、「コンテンツファイル取得要求メッセージ」に、最新の表示コンテンツファイルからいくつ前の表示コンテンツファイルの取得を要求するかが明示されている場合には、該当するコンテンツファイルをコンテンツファイル情報記憶部５０７から取得する（図１５（ｂ）参照）。そして、ＤＬＮＡ処理部５０３は、この該当するコンテンツファイルを「コンテンツファイル取得要求応答メッセージ」と共に、「コンテンツファイル取得要求メッセージ」の送信元に送信するために、通信制御部５０１に出力する。
【００６１】
また、ＤＬＮＡ処理部５０３は、「コンテンツファイル取得要求メッセージ」に、「コンテンツファイル取得要求メッセージ」の生成時間（すなわち、コンテンツファイル取得のための操作開始時間）を示す情報が明示されている場合には、該当するコンテンツファイル、すなわち、コンテンツファイル取得のための操作開始時に表示装置Ｄに表示されていたコンテンツファイルをコンテンツファイル情報記憶部５０７から取得する（図１５（ｃ）参照）。そして、ＤＬＮＡ処理部５０３は、この該当するコンテンツファイルを「コンテンツファイル取得要求応答メッセージ」と共に、「コンテンツファイル取得要求メッセージ」の送信元に送信するために、通信制御部５０１に出力する。
【００６２】
表示制御部５０５は、ＤＬＮＡ処理部５０３から入力されたコンテンツファイルを表示部５１１に順次表示するための処理を行う。コンテンツファイルは受信した順で表示部５１１に上書き表示される。例えば、表示装置Ｄが、携帯端末Ａのコンテンツファイルａ１を受信した後に、携帯端末Ｂのコンテンツファイルｂ１を受信した場合には、コンテンツファイルａ１が表示部５１１に表示された後、このコンテンツファイルａ１の表示が消えて、コンテンツファイルｂ１が表示部５１１に表示される。なお、表示部５１１はコンテンツファイルを上書き表示する以外にも、表示制御部５０５の制御により、例えば、最新のファイルを画面に大きく表示し、それ以前のファイルは画面の下に表示しても良いし、又はサムネイル一覧のように表示しても良い。なお、これらの表示部５１１での表示方法は一例であり、これに限定されない。
【００６３】
（コンテンツファイル所有者問い合わせ応答メッセージ）
問い合わせファイル判定部５０９は、各携帯端末から受信した「コンテンツファイル所有者問い合わせメッセージ」に基づき、現在、表示装置Ｄに表示中のコンテンツファイルの所有者およびとコンテンツファイルのファイル名を、コンテンツファイル情報記憶部５０７に記憶されたコンテンツファイルの情報から判定する。そして、問い合わせファイル判定部５０９は、判定結果に基づき、現在、表示装置Ｄに表示中のコンテンツファイルの所有者およびそのコンテンツファイルのファイル名を含む「コンテンツファイル所有者問い合わせ応答メッセージ」を生成する。そして、問い合わせファイル判定部５０９は、この生成した「コンテンツファイル所有者問い合わせ応答メッセージ」を通信制御部５０１へ出力する。
【００６４】
ここで、「コンテンツファイル所有者問い合わせメッセージ」に、最新のものからいくつ前に表示されたコンテンツファイルの所有者を問い合わせるかを示す情報が含まれている場合には、これに該当するコンテンツファイルの所有者およびそのコンテンツファイルのファイル名を示す「コンテンツファイル所有者問い合わせ応答メッセージ」が問い合わせファイル判定部５０９により生成される。
【００６５】
さらに、「コンテンツファイル所有者問い合わせメッセージ」に「コンテンツファイル所有者問い合わせメッセージ」の生成時間（すなわち、コンテンツファイル取得のための操作開始時間）が含まれている場合には、これに該当するコンテンツファイルの所有者およびそのコンテンツファイルのファイル名を示す「コンテンツファイル所有者問い合わせ応答メッセージ」が問い合わせファイル判定部５０９により生成される。
【００６６】
次に、図２〜図４を参照して、図１（ａ）に示す通信システムの動作例１〜３を説明する。
【００６７】
＜動作例１＞
図２を参照して、本実施の形態における、コンテンツファイル取得動作の一例について説明する。
【００６８】
なお、図２では、コンテンツファイルを単にファイルと表記している。そして、携帯端末Ａはコンテンツファイルａ１（図中、ファイルａ１と表記）を保持し、携帯端末Ｂはコンテンツファイルｂ１（図中、ファイルｂ１と表記）およびコンテンツファイルｂｎ（図中、ファイルｂｎと表記）を保持し、携帯端末Ｃはコンテンツファイルｃ１（図中、ファイルｃ１）を保持しているものとする。
【００６９】
なお、図２に示す斜線を囲む矢印は、ユーザ操作を示す。例えば、コンテンツファイルを表示装置Ｄに送信するための操作や、表示装置Ｄに表示中（あるいは過去に表示済み）のコンテンツファイルを取得するための操作である。
【００７０】
なお、図２では、携帯端末Ａが表示装置Ｄに表示中のコンテンツファイルを取得する動作を例にとって説明するが、携帯端末Ｂ，Ｃいずれでも同様の動作が可能である。
【００７１】
なお、図２は、携帯端末Ａが表示装置Ｄに表示中のコンテンツファイルを取得するための動作の一例を示す図であって、携帯端末Ａの動作はこれに限定されるものではない。
【００７２】
ステップＳ２０１では、携帯端末Ａは「コンテンツファイル表示要求メッセージ」と共にコンテンツファイルａ１を表示装置Ｄに送信する。この送信の際には、図中、矢印で示すように、携帯端末Ａでは、コンテンツファイルａ１を表示装置Ｄに表示するためのユーザ操作が行われている。
【００７３】
ステップＳ２０３では、表示装置Ｄは、携帯端末Ａから受信した「コンテンツファイル表示要求メッセージ」に基づき、携帯端末Ａのコンテンツファイルａ１を表示する。この際、表示装置Ｄは、このコンテンツファイルａ１の情報（コンテンツファイル名）およびコンテンツファイルａ１を記憶する（図１５（ａ）参照）。
【００７４】
ステップＳ２０５では、携帯端末Ｃは「コンテンツファイル表示要求メッセージ」と共にコンテンツファイルｃ１を表示装置Ｄに送信する。この送信の際には、図中、矢印で示すように、携帯端末Ｃでは、コンテンツファイルｃ１を表示装置Ｄに表示するためのユーザ操作が行われている。
【００７５】
ステップＳ２０７では、表示装置Ｄは、携帯端末Ｃから受信した「コンテンツファイル表示要求メッセージ」に基づき、携帯端末Ｃのコンテンツファイルｃ１を表示する。この際、表示装置Ｄは、このコンテンツファイルｃ１の情報（コンテンツファイル名）およびコンテンツファイルｃ１を、記憶されていたコンテンツファイルａ１の情報およびコンテンツファイルａ１に上書きする（図１５（ａ）参照）。
【００７６】
ステップＳ２０９では、携帯端末Ｂは「コンテンツファイル表示要求メッセージ」と共にコンテンツファイルｂ１を表示装置Ｄに送信する。この送信の際には、図中、矢印で示すように、携帯端末Ｂでは、コンテンツファイルｂ１を表示装置Ｄに表示するためのユーザ操作が行われている。
【００７７】
ステップＳ２１１では、表示装置Ｄは、携帯端末Ｂから受信した「コンテンツファイル表示要求メッセージ」に基づき、携帯端末Ｂのコンテンツファイルｂ１を表示する。この際、表示装置Ｄは、このコンテンツファイルｂ１の情報（コンテンツファイル名）およびコンテンツファイルｂ１を、記憶されていたコンテンツファイルｃ１の情報およびコンテンツファイルｃ１に上書きする（図１５（ａ）参照）。
【００７８】
ステップＳ２１３では、携帯端末Ｂは「コンテンツファイル表示要求メッセージ」と共にコンテンツファイルｂｎを表示装置Ｄに送信する。この送信の際には、図中、矢印で示すように、携帯端末Ｂでは、コンテンツファイルｂｎを表示装置Ｄに表示するためのユーザ操作が行われている。
【００７９】
ステップＳ２１５では、表示装置Ｄは、携帯端末Ｂから受信した「コンテンツファイル表示要求メッセージ」に基づき、携帯端末Ｂのコンテンツファイルｂｎを表示する。この際、表示装置Ｄは、このコンテンツファイルｂｎの情報（コンテンツファイル名）およびコンテンツファイルｂｎを、記憶されていたコンテンツファイルｂ１の情報およびコンテンツファイルｂ１に上書きする（図１５（ａ）参照）。
【００８０】
ステップＳ２１７では、携帯端末Ａは、現在、表示装置Ｄに表示中であるコンテンツを取得するために、「コンテンツファイル取得要求メッセージ」を表示装置Ｄに送信する。この送信の際、図中、矢印で示すように、現在、表示装置Ｄで表示中のコンテンツファイルを取得するためのユーザ操作が携帯端末Ａに入力される。なお、ステップＳ２１７において、携帯端末Ａは、表示装置Ｄで表示されているコンテンツファイルを特定できていない。
【００８１】
ステップＳ２１９では、表示装置Ｄは、この「コンテンツファイル取得要求メッセージ」に基づき、現在、表示装置Ｄに表示中のコンテンツファイルｂｎを特定する。そして、ステップＳ２２１で、表示装置Ｄは、この特定したコンテンツファイルｂｎを「コンテンツファイル取得要求メッセージ」の送信元である携帯端末Ａへ送信する。
【００８２】
このように、本実施の形態では、所望のコンテンツファイルを取得するために、この所望のコンテンツファイルを所有する端末を特定する、またはフォルダ階層構造を検索するという、ユーザにとって煩わしい操作を経ずに、簡単なユーザ操作で、携帯端末Ａは、表示装置Ｄから、現在表示中のコンテンツファイルを取得することができる。
【００８３】
＜動作例２＞
図３を参照して、本実施の形態における、コンテンツファイル取得動作の一例について説明する。
【００８４】
なお、図３では、コンテンツファイルを単にファイルと表記している。そして、携帯端末Ａはコンテンツファイルａ１（図中、ファイルａ１と表記）を保持し、携帯端末Ｂはコンテンツファイルｂ１（図中、ファイルｂ１と表記）、コンテンツファイルｂｎ−１（図中、ファイルｂｎ−１と表記）、およびコンテンツファイルｂｎ（図中、ファイルｂｎと表記）を保持し、携帯端末Ｃはコンテンツファイルｃ１（図中、ファイルｃ１）を保持しているものとする。
【００８５】
なお、図３に示す斜線を囲む矢印は、ユーザ操作を示す。例えば、コンテンツファイルを表示装置Ｄに送信するための操作や、表示装置Ｄに表示中（あるいは過去に表示済み）のコンテンツファイルを取得するための操作である。
【００８６】
なお、図３では、携帯端末Ａが表示装置Ｄに表示中のコンテンツファイルを取得する動作を例にとって説明するが、携帯端末Ｂ，Ｃいずれでも同様の動作が可能である。
【００８７】
なお、図３は、携帯端末Ａが表示装置Ｄに表示中のコンテンツファイルを取得するための動作の一例を示す図であって、携帯端末Ａの動作はこれに限定されるものではない。
【００８８】
ステップＳ３０１では、携帯端末Ａは「コンテンツファイル表示要求メッセージ」と共にコンテンツファイルａ１を表示装置Ｄに送信する。この送信の際には、図中、矢印で示すように、携帯端末Ａでは、コンテンツファイルａ１を表示装置Ｄに表示するためのユーザ操作が行われている。
【００８９】
ステップＳ３０３では、表示装置Ｄは、携帯端末Ａから受信した「コンテンツファイル表示要求メッセージ」に基づき、携帯端末Ａのコンテンツファイルａ１を表示する。この際、表示装置Ｄは、このコンテンツファイルａ１の情報（コンテンツファイル名およびコンテンツファイルの表示順（１番目））およびコンテンツファイルａ１を記憶する（図１５（ｂ）参照）。
【００９０】
ステップＳ３０５では、携帯端末Ｃは「コンテンツファイル表示要求メッセージ」と共にコンテンツファイルｃ１を表示装置Ｄに送信する。この送信の際には、図中、矢印で示すように、携帯端末Ｃでは、コンテンツファイルｃ１を表示装置Ｄに表示するためのユーザ操作が行われている。
【００９１】
ステップＳ３０７では、表示装置Ｄは、携帯端末Ｃから受信した「コンテンツファイル表示要求メッセージ」に基づき、携帯端末Ｃのコンテンツファイルｃ１を表示する。この際、表示装置Ｄは、コンテンツファイルａ１の情報に加えて、このコンテンツファイルｃ１の情報（コンテンツファイル名およびコンテンツファイルの表示順（２番目））およびコンテンツファイルｃ１を記憶する（図１５（ｂ）参照）。
【００９２】
ステップＳ３０９では、携帯端末Ｂは「コンテンツファイル表示要求メッセージ」と共にコンテンツファイルｂ１を表示装置Ｄに送信する。この送信の際には、図中、矢印で示すように、携帯端末Ｂでは、コンテンツファイルｂ１を表示装置Ｄに表示するためのユーザ操作が行われている。
【００９３】
ステップＳ３１１では、表示装置Ｄは、携帯端末Ｂから受信した「コンテンツファイル表示要求メッセージ」に基づき、携帯端末Ｂのコンテンツファイルｂ１を表示する。この際、表示装置Ｄは、コンテンツファイルａ１，ｃ１の情報に加えて、このコンテンツファイルｂ１の情報（コンテンツファイル名およびコンテンツファイルの表示順（３番目））およびコンテンツファイルｂ１を記憶する（図１５（ｂ）参照）。
【００９４】
ステップＳ３１３では、携帯端末Ｂは「コンテンツファイル表示要求メッセージ」と共にコンテンツファイルｂｎ−１を表示装置Ｄに送信する。この送信の際には、図中、矢印で示すように、携帯端末Ｂでは、コンテンツファイルｂｎ−１を表示装置Ｄに表示するためのユーザ操作が行われている。
【００９５】
ステップＳ３１５では、表示装置Ｄは、携帯端末Ｂから受信した「コンテンツファイル表示要求メッセージ」に基づき、携帯端末Ｂのコンテンツファイルｂｎ−１を表示する。この際、表示装置Ｄは、コンテンツファイルａ１，ｃ１，ｂ１の情報に加えて、このコンテンツファイルｂｎ−１の情報（コンテンツファイル名およびコンテンツファイルの表示順（（ｎ−１）番目））およびコンテンツファイルｂｎ−１を記憶する（図１５（ｂ）参照）。
【００９６】
ステップＳ３１７では、携帯端末Ｂは「コンテンツファイル表示要求メッセージ」と共にコンテンツファイルｂｎを表示装置Ｄに送信する。この送信の際には、図中、矢印で示すように、携帯端末Ｂでは、コンテンツファイルｂｎを表示装置Ｄに表示するためのユーザ操作が行われている。
【００９７】
ステップＳ３１９では、表示装置Ｄは、携帯端末Ｂから受信した「コンテンツファイル表示要求メッセージ」に基づき、携帯端末Ｂのコンテンツファイルｂｎを表示する。この際、表示装置Ｄは、コンテンツファイルａ１，ｃ１，ｂ１，ｂｎ−１の情報に加えて、このコンテンツファイルｂｎの情報（コンテンツファイル名およびコンテンツファイルの表示順（（ｎ番目））およびコンテンツファイルｂｎを記憶する（図１５（ｂ）参照）。
【００９８】
ステップＳ３２１では、携帯端末Ａは、現在、表示装置Ｄに表示中であるコンテンツファイルの一つ前に表示されたコンテンツファイルを取得するために、「コンテンツファイル取得要求メッセージ」を表示装置Ｄに送信する。この送信の際、図中、矢印で示すように、携帯端末Ａでは、現在、表示装置Ｄに表示中であるコンテンツファイルの一つ前に表示されたコンテンツファイルを取得するためのユーザ操作が行われている。「コンテンツファイル取得要求メッセージ」には、現在、表示装置Ｄに表示中であるコンテンツファイルの一つ前に表示されたコンテンツファイルの取得を要求するメッセージが含まれている。なお、ステップＳ３２１において、携帯端末Ａは、表示装置Ｄで表示されているコンテンツファイルを特定できていない。
【００９９】
ステップＳ３２３では、表示装置Ｄは、この「コンテンツファイル取得要求メッセージ」に基づき、現在、表示装置Ｄに表示中であるコンテンツファイルｂｎの一つ前に表示されたコンテンツファイルｂｎ−１を特定する。そして、ステップＳ３２５で、表示装置Ｄは、このコンテンツファイルｂｎ−１を「コンテンツファイル取得要求メッセージ」の送信元である携帯端末Ａへ送信する。
【０１００】
このように、本実施の形態では、所望のコンテンツファイルを取得するために、この所望のコンテンツファイルを所有する端末を特定する、またはフォルダ階層構造を検索するという、ユーザにとって煩わしい操作を経ずに、簡単なユーザ操作で、携帯端末Ａは、表示装置Ｄから、表示装置Ｄで所定の順番で表示されたコンテンツファイルを取得することができる。
【０１０１】
＜動作例３＞
図４を参照して、本実施の形態における、コンテンツファイル取得動作の一例について説明する。
【０１０２】
なお、図４では、コンテンツファイルを単にファイルと表記している。そして、携帯端末Ａはコンテンツファイルａ１（図中、ファイルａ１と表記）を保持し、携帯端末Ｂはコンテンツファイルｂ１（図中、ファイルｂ１と表記）、コンテンツファイルｂｎ（図中、ファイルｂｎと表記）、コンテンツファイルｂｎ＋１（図中、ファイルｂｎ＋１と表記）を保持し、携帯端末Ｃはコンテンツファイルｃ１（図中、ファイルｃ１）を保持しているものとする。
【０１０３】
なお、図４に示す斜線を囲む矢印は、ユーザ操作を示す。例えば、コンテンツファイルを表示装置Ｄに送信するための操作や、表示装置Ｄに表示中（あるいは過去に表示済み）のコンテンツファイルを取得するための操作である。
【０１０４】
なお、図４では、携帯端末Ａが表示装置Ｄに表示中のコンテンツファイルを取得する動作を例にとって説明するが、携帯端末Ｂ，Ｃいずれでも同様の動作が可能である。
【０１０５】
なお、図４は、携帯端末Ａが表示装置Ｄに表示中のコンテンツファイルを取得するための動作の一例を示す図であって、携帯端末Ａの動作はこれに限定されるものではない。
【０１０６】
ステップＳ４０１では、携帯端末Ａは「コンテンツファイル表示要求メッセージ」と共にコンテンツファイルａ１を表示装置Ｄに送信する。この送信の際には、図中、矢印で示すように、携帯端末Ａでは、コンテンツファイルａ１を表示装置Ｄに表示するためのユーザ操作が行われている。
【０１０７】
ステップＳ４０３では、表示装置Ｄは、携帯端末Ａから受信した「コンテンツファイル表示要求メッセージ」に基づき、携帯端末Ａのコンテンツファイルａ１を表示する。この際、表示装置Ｄは、このコンテンツファイルａ１の情報（コンテンツファイル名、表示開始時間１２：００：００）およびコンテンツファイルａ１を記憶する（図１５（ｃ）参照）。
【０１０８】
ステップＳ４０５では、携帯端末Ｃは「コンテンツファイル表示要求メッセージ」と共にコンテンツファイルｃ１を表示装置Ｄに送信する。この送信の際には、図中、矢印で示すように、携帯端末Ｃでは、コンテンツファイルｃ１を表示装置Ｄに表示するためのユーザ操作が行われている。
【０１０９】
ステップＳ４０７では、表示装置Ｄは、携帯端末Ｃから受信した「コンテンツファイル表示要求メッセージ」に基づき、携帯端末Ｃのコンテンツファイルｃ１を表示する。この際、表示装置Ｄは、コンテンツファイルａ１の情報に加えて、このコンテンツファイルｃ１の情報（コンテンツファイル名、表示開始時間１２：００：０５、および前コンテンツファイルａ１の表示終了時間１２：００：０５）およびコンテンツファイルｃ１を記憶する（図１５（ｃ）参照）。
【０１１０】
ステップＳ４０９では、携帯端末Ｂは「コンテンツファイル表示要求メッセージ」と共にコンテンツファイルｂ１を表示装置Ｄに送信する。この送信の際には、図中、矢印で示すように、携帯端末Ｂでは、コンテンツファイルｂ１を表示装置Ｄに表示するためのユーザ操作が行われている。
【０１１１】
ステップＳ４１１では、表示装置Ｄは、携帯端末Ｂから受信した「コンテンツファイル表示要求メッセージ」に基づき、携帯端末Ｂのコンテンツファイルｂ１を表示する。この際、表示装置Ｄは、コンテンツファイルａ１、ｃ１の情報に加えて、このコンテンツファイルｂ１の情報（コンテンツファイル名、表示開始時間１２：００：０８、および前コンテンツファイルｃ１の表示終了時間１２：００：０８）およびコンテンツファイルｂ１を記憶する（図１５（ｃ）参照）。
【０１１２】
ステップＳ４１３では、携帯端末Ｂは「コンテンツファイル表示要求メッセージ」と共にコンテンツファイルｂｎを表示装置Ｄに送信する。この送信の際には、図中、矢印で示すように、携帯端末Ｂでは、コンテンツファイルｂｎを表示装置Ｄに表示するためのユーザ操作が行われている。
【０１１３】
ステップＳ４１５では、表示装置Ｄは、携帯端末Ｂから受信した「コンテンツファイル表示要求メッセージ」に基づき、携帯端末Ｂのコンテンツファイルｂｎを表示する。この際、表示装置Ｄは、コンテンツファイルａ１、ｃ１、ｂ１の情報に加えて、このコンテンツファイルｂｎの情報（コンテンツファイル名、表示開始時間１２：０５：２０、および前コンテンツファイルｂ１の表示終了時間１２：０５：２０）およびコンテンツファイルｂｎを記憶する（図１５（ｃ）参照）。
【０１１４】
（コンテンツファイル取得操作の開始）
ステップＳ４１６では、携帯端末Ａは、表示装置Ｄ向けに、「コンテンツファイル取得要求メッセージ」の生成時間（すなわち、コンテンツファイル取得のための操作開始時間１２：０５：２３）を示す情報を含む「コンテンツファイル取得要求メッセージ」を生成する。この際には、図中、矢印で示すように、携帯端末Ａでは、コンテンツファイル取得のためのユーザ操作が開始されているが、まだ確定していない。つまり、ステップＳ４１６では、コンテンツファイル取得処理が開始されているが、この「コンテンツファイル取得要求メッセージ」は携帯端末Ａから表示装置Ｄへはまだ送信されていない。
【０１１５】
（割り込み（ユーザ操作））
ステップＳ４１７では、携帯端末Ｂは「コンテンツファイル表示要求メッセージ」と共にコンテンツファイルｂｎ＋１を表示装置Ｄに送信する。この送信の際には、図中、矢印で示すように、携帯端末Ｂでは、コンテンツファイルｂｎ＋１を表示装置Ｄに表示するためのユーザ操作が行われている。
【０１１６】
ステップＳ４１９では、表示装置Ｄは、携帯端末Ｂから受信した「コンテンツファイル表示要求メッセージ」に基づき、携帯端末Ｂのコンテンツファイルｂｎ＋１を表示する。この際、表示装置Ｄは、コンテンツファイルａ１、ｃ１、ｂ１、ｂｎの情報に加えて、このコンテンツファイルｂｎ＋１の情報（コンテンツファイル名、表示開始時間１２：０５：２５および前コンテンツファイルｂｎの表示終了時間１２：０５：２５）とコンテンツファイルｂｎ＋１を記憶する（図１５（ｃ）参照）。
【０１１７】
（コンテンツファイル取得操作の確定）
ステップＳ４２１では、携帯端末Ａは、表示装置Ｄ向けに、「コンテンツファイル取得要求メッセージ」の生成時間（すなわち、コンテンツファイル取得のための操作開始時間１２：０５：２３）を示す情報を含む「コンテンツファイル取得要求メッセージ」を送信する。この際には、図中、矢印で示すように、携帯端末Ａでは、コンテンツファイル取得のためのユーザ操作が確定している。つまり、ステップＳ４２１では、この「コンテンツファイル取得要求メッセージ」は携帯端末Ａから表示装置Ｄへ送信されている。
【０１１８】
（送信コンテンツファイルの特定）
ステップＳ４２３では、表示装置Ｄは、「コンテンツファイル取得要求メッセージ」に明示されている「コンテンツファイル取得要求メッセージ」の生成時間に基づき、ステップＳ４１６でコンテンツファイル取得のための操作が開始された時間に表示されていたコンテンツファイルｂｎを特定する。
【０１１９】
ステップＳ４２５では、表示装置Ｄは、ステップＳ４２３で特定したコンテンツファイルｂｎを携帯端末Ａに送信する。
【０１２０】
このように、本実施の形態では、所望のコンテンツファイルを取得するために、この所望のコンテンツファイルを保持する端末を特定する、またはフォルダ階層構造を検索するという、ユーザにとって煩わしい操作を経ずに、簡単なユーザ操作で、携帯端末Ａは、実際にコンテンツファイルの取得操作を開始した時に表示装置Ｄに表示されていたコンテンツファイルを、表示装置Ｄから取得することができる。
【０１２１】
図５は、本実施の形態における通信システムの一例である。ここで、携帯端末Ａ、携帯端末Ｂ、携帯端末Ｃ、及び表示装置ＤはＤＬＮＡ対応機器である。携帯端末Ａ、携帯端末Ｂ、及び携帯端末Ｃは、ローカルネットワーク内で、各携帯端末が所有するコンテンツファイルを表示装置Ｄに表示させることができる。また、携帯端末Ａ、携帯端末Ｂ、携帯端末Ｃ、及び表示装置Ｄが構成するローカルネットワーク内で各携帯端末が所有するコンテンツファイルを共有することができる。
【０１２２】
図５を参照して、この通信システム動作の概略を説明する。図５に示す通信システムにおいて、携帯端末Ｂが、所有するコンテンツファイルを表示装置Ｄに送信して（ステップＳ５０１）、表示装置Ｄがそのコンテンツファイルを表示する（ステップＳ５０２）。携帯端末Ａは、表示中のコンテンツファイルの所有者を表示装置Ｄに問い合わせる（ステップＳ５０３）。そして、表示装置Ｄは、その問い合わせ結果として、そのコンテンツファイルの所有者を携帯端末Ａに通知する（ステップＳ５０５）。携帯端末Ａは問い合わせ結果に基づき、コンテンツファイルの所有者である携帯端末Ｂに、表示装置Ｄで表示中のコンテンツファイルを取得するための取得要求メッセージを送信する（ステップＳ５０７）。そして、携帯端末Ｂは、この取得要求メッセージに基づき、表示装置Ｄで表示中のコンテンツファイルを携帯端末Ａに送信する（ステップＳ５０９）。以下、図６〜図１１を参照して、図５に示す通信システムの動作例４〜９を説明する。
【０１２３】
＜動作例４＞
図６を参照して、本実施の形態における、コンテンツファイル取得動作の一例について説明する。
【０１２４】
なお、図６では、コンテンツファイルを単にファイルと表記している。そして、携帯端末Ａはコンテンツファイルａ１（図中、ファイルａ１と表記）を保持し、携帯端末Ｂはコンテンツファイルｂ１（図中、ファイルｂ１と表記）およびコンテンツファイルｂｎ（図中、ファイルｂｎと表記）を保持し、携帯端末Ｃはコンテンツファイルｃ１（図中、ファイルｃ１）を保持しているものとする。
【０１２５】
なお、図６に示す斜線を囲む矢印は、ユーザ操作を示す。例えば、コンテンツファイルを表示装置Ｄに送信するための操作や、表示装置Ｄに表示中（あるいは過去に表示済み）のコンテンツファイルを取得するための操作である。
【０１２６】
なお、図６では、携帯端末Ａが表示装置Ｄに表示中のコンテンツファイルを取得する動作を例にとって説明するが、携帯端末Ｂ，Ｃいずれでも同様の動作が可能である。
【０１２７】
なお、図６は、携帯端末Ａが表示装置Ｄに表示中のコンテンツファイルを取得するための動作の一例を示す図であって、携帯端末Ａの動作はこれに限定されるものではない。
【０１２８】
ステップＳ６０１では、携帯端末Ａは「コンテンツファイル表示要求メッセージ」と共にコンテンツファイルａ１を表示装置Ｄに送信する。この送信の際には、図中、矢印で示すように、携帯端末Ａでは、コンテンツファイルａ１を表示装置Ｄに表示するためのユーザ操作が行われている。
【０１２９】
ステップＳ６０３では、表示装置Ｄは、携帯端末Ａから受信した「コンテンツファイル表示要求メッセージ」に基づき、携帯端末Ａのコンテンツファイルａ１を表示する。この際、表示装置Ｄは、このコンテンツファイルａ１の情報（コンテンツファイル名、コンテンツファイルの所有者（携帯端末Ａ））を記憶する（図１５（ａ）参照）。
【０１３０】
ステップＳ６０５では、携帯端末Ｃは「コンテンツファイル表示要求メッセージ」と共にコンテンツファイルｃ１を表示装置Ｄに送信する。この送信の際には、図中、矢印で示すように、携帯端末Ｃでは、コンテンツファイルｃ１を表示装置Ｄに表示するためのユーザ操作が行われている。
【０１３１】
ステップＳ６０７では、表示装置Ｄは、携帯端末Ｃから受信した「コンテンツファイル表示要求メッセージ」に基づき、携帯端末Ｃのコンテンツファイルｃ１を表示する。この際、表示装置Ｄは、このコンテンツファイルｃ１の情報（コンテンツファイル名、コンテンツファイルの所有者（携帯端末Ｃ））を、記憶されていたコンテンツファイルａ１の情報に上書きする（図１５（ａ）参照）。
【０１３２】
ステップＳ６０９では、携帯端末Ｂは「コンテンツファイル表示要求メッセージ」と共にコンテンツファイルｂ１を表示装置Ｄに送信する。この送信の際には、図中、矢印で示すように、携帯端末Ｂでは、コンテンツファイルｂ１を表示装置Ｄに表示するためのユーザ操作が行われている。
【０１３３】
ステップＳ６１１では、表示装置Ｄは、携帯端末Ｂから受信した「コンテンツファイル表示要求メッセージ」に基づき、携帯端末Ｂのコンテンツファイルｂ１を表示する。この際、表示装置Ｄは、このコンテンツファイルｂ１の情報（コンテンツファイル名、コンテンツファイルの所有者（携帯端末Ｂ））を、記憶されていたコンテンツファイルｃ１の情報に上書きする（図１５（ａ）参照）。
【０１３４】
ステップＳ６１３では、携帯端末Ｂは「コンテンツファイル表示要求メッセージ」と共にコンテンツファイルｂｎを表示装置Ｄに送信する。この送信の際には、図中、矢印で示すように、携帯端末Ｂでは、コンテンツファイルｂｎを表示装置Ｄに表示するためのユーザ操作が行われている。
【０１３５】
ステップＳ６１５では、表示装置Ｄは、携帯端末Ｂから受信した「コンテンツファイル表示要求メッセージ」に基づき、携帯端末Ｂのコンテンツファイルｂｎを表示する。この際、表示装置Ｄは、このコンテンツファイルｂｎの情報（コンテンツファイル名、コンテンツファイルの所有者（携帯端末Ｂ））を、記憶されていたコンテンツファイルｂ１の情報に上書きする（図１５（ａ）参照）。
【０１３６】
ステップＳ６１７では、携帯端末Ａは、現在、表示装置Ｄに表示中のコンテンツファイルの所有者を問い合わせるための「コンテンツファイル所有者問い合わせメッセージ」を表示装置Ｄに送信する。この送信の際、図中、矢印で示すように、携帯端末Ａでは、現在、表示装置Ｄで表示中のコンテンツファイルを取得するためのユーザ操作が行われている。なお、ステップＳ６１７において、携帯端末Ａは、表示装置Ｄで表示されているコンテンツファイルおよび所有者を特定できていない。
【０１３７】
ステップＳ６１９では、表示装置Ｄは、携帯端末Ａから受信した「所有者問い合わせメッセージ」に基づき、現在、表示装置Ｄに表示中のコンテンツファイルｂｎの所有者を特定する。そして、ステップＳ６２１では、表示装置Ｄは、「所有者問い合わせメッセージ」の応答として、現在表示装置Ｄに表示中のコンテンツファイルｂｎの所有者（携帯端末Ｂ）とそのコンテンツファイル名を示す「コンテンツファイル所有者問い合わせ応答メッセージ」を携帯端末Ａに送信する。
【０１３８】
ステップＳ６２３では、携帯端末Ａは、表示装置Ｄから受信した「コンテンツファイル所有者問い合わせ応答メッセージ」に含まれる現在表示装置Ｄに表示中のコンテンツファイルｂｎの所有者（携帯端末Ｂ）およびコンテンツファイルｂｎのファイル名を示す情報に基づき、「コンテンツファイル取得要求メッセージ」を携帯端末Ｂに送信する。
【０１３９】
ステップＳ６２５では、携帯端末Ｂは、携帯端末Ａから受信した「コンテンツファイル取得要求メッセージ」に基づき、該当するコンテンツファイルｂｎを携帯端末Ａに送信する。
【０１４０】
このように、本実施の形態では、所望のコンテンツファイルを取得するために、この所望のコンテンツファイルを保持する端末を特定する、またはフォルダ階層構造を検索するという、ユーザにとって煩わしい操作を経ずに、簡単なユーザ操作で、携帯端末Ａは表示装置Ｄで表示中のコンテンツファイルを携帯端末Ｂから取得することができる。
【０１４１】
＜動作例５＞
図７を参照して、本実施の形態における、コンテンツファイル取得動作の一例について説明する。
【０１４２】
なお、図７では、コンテンツファイルを単にファイルと表記している。そして、携帯端末Ａはコンテンツファイルａ１（図中、ファイルａ１と表記）を保持し、携帯端末Ｂはコンテンツファイルｂ１（図中、ファイルｂ１と表記）、コンテンツファイルｂｎ−１（図中、ファイルｂｎ−１と表記）、およびコンテンツファイルｂｎ（図中、ファイルｂｎと表記）を保持し、携帯端末Ｃはコンテンツファイルｃ１（図中、ファイルｃ１）を保持しているものとする。
【０１４３】
なお、図７に示す斜線を囲む矢印は、ユーザ操作を示す。例えば、コンテンツファイルを表示装置Ｄに送信するための操作や、表示装置Ｄに表示中（あるいは過去に表示済み）のコンテンツファイルを取得するための操作である。
【０１４４】
なお、図７では、携帯端末Ａが表示装置Ｄに表示中のコンテンツファイルを取得する動作を例にとって説明するが、携帯端末Ｂ，Ｃいずれでも同様の動作が可能である。
【０１４５】
なお、図７は、携帯端末Ａが表示装置Ｄに表示中のコンテンツファイルを取得するための動作の一例を示す図であって、携帯端末Ａの動作はこれに限定されるものではない。
【０１４６】
ステップＳ７０１では、携帯端末Ａは「コンテンツファイル表示要求メッセージ」と共にコンテンツファイルａ１を表示装置Ｄに送信する。この送信の際には、図中、矢印で示すように、携帯端末Ａでは、コンテンツファイルａ１を表示装置Ｄに表示するためのユーザ操作が行われている。
【０１４７】
ステップＳ７０３では、表示装置Ｄは、携帯端末Ａから受信した「コンテンツファイル表示要求メッセージ」に基づき、携帯端末Ａのコンテンツファイルａ１を表示する。この際、表示装置Ｄは、このコンテンツファイルａ１の情報（コンテンツファイル名、表示順（１番目）、およびコンテンツファイルの所有者（携帯端末Ａ））を記憶する（図１５（ｂ）参照）。
【０１４８】
ステップＳ７０５では、携帯端末Ｃは「コンテンツファイル表示要求メッセージ」と共にコンテンツファイルｃ１を表示装置Ｄに送信する。この送信の際には、図中、矢印で示すように、携帯端末Ｃでは、コンテンツファイルｃ１を表示装置Ｄに表示するためのユーザ操作が行われている。
【０１４９】
ステップＳ７０７では、表示装置Ｄは、携帯端末Ｃから受信した「コンテンツファイル表示要求メッセージ」に基づき、携帯端末Ｃのコンテンツファイルｃ１を表示する。この際、表示装置Ｄは、コンテンツファイルａ１の情報に加えて、このコンテンツファイルｃ１の情報（コンテンツファイル名、表示順（２番目）、およびコンテンツファイルの所有者（携帯端末Ｃ））を記憶する（図１５（ｂ）参照）。
【０１５０】
ステップＳ７０９では、携帯端末Ｂは「コンテンツファイル表示要求メッセージ」と共にコンテンツファイルｂ１を表示装置Ｄに送信する。この送信の際には、図中、矢印で示すように、携帯端末Ｂでは、コンテンツファイルｂ１を表示装置Ｄに表示するためのユーザ操作が行われている。
【０１５１】
ステップＳ７１１では、表示装置Ｄは、携帯端末Ｂから受信した「コンテンツファイル表示要求メッセージ」に基づき、携帯端末Ｂのコンテンツファイルｂ１を表示する。この際、表示装置Ｄは、コンテンツファイルａ１，ｃ１の情報に加えて、このコンテンツファイルｂ１の情報（コンテンツファイル名、表示順（３番目）、およびコンテンツファイルの所有者（携帯端末Ｂ））を記憶する（図１５（ｂ）参照）。
【０１５２】
ステップＳ７１３では、携帯端末Ｂは「コンテンツファイル表示要求メッセージ」と共にコンテンツファイルｂｎ−１を表示装置Ｄに送信する。この送信の際には、図中、矢印で示すように、携帯端末Ｂでは、コンテンツファイルｂｎ−１を表示装置Ｄに表示するためのユーザ操作が行われている。
【０１５３】
ステップＳ７１５では、表示装置Ｄは、携帯端末Ｂから受信した「コンテンツファイル表示要求メッセージ」に基づき、携帯端末Ｂのコンテンツファイルｂｎ−１を表示する。この際、表示装置Ｄは、コンテンツファイルａ１，ｃ１，ｂ１の情報に加えて、このコンテンツファイルｂｎ−１の情報（コンテンツファイル名、表示順（ｎ−１番目）、およびコンテンツファイルの所有者（携帯端末Ｂ））を記憶する（図１５（ｂ）参照）。
【０１５４】
ステップＳ７１７では、携帯端末Ｂは「コンテンツファイル表示要求メッセージ」と共にコンテンツファイルｂｎを表示装置Ｄに送信する。この送信の際には、図中、矢印で示すように、携帯端末Ｂでは、コンテンツファイルｂｎを表示装置Ｄに表示するためのユーザ操作が行われている。
【０１５５】
ステップＳ７１９では、表示装置Ｄは、携帯端末Ｂから受信した「コンテンツファイル表示要求メッセージ」に基づき、携帯端末Ｂのコンテンツファイルｂｎを表示する。この際、表示装置Ｄは、コンテンツファイルａ１，ｃ１，ｂ１，ｂｎ−１の情報に加えて、このコンテンツファイルｂｎの情報（コンテンツファイル名、表示順（ｎ番目）、およびコンテンツファイルの所有者（携帯端末Ｂ））を記憶する（図１５（ｂ）参照）。
【０１５６】
ステップＳ７２１では、携帯端末Ａは、現在、表示装置Ｄに表示中であるコンテンツファイルの一つ前に表示されたコンテンツファイルの所有者を問い合わせるために、「コンテンツファイル所有者問い合わせメッセージ」を表示装置Ｄに送信する。この「コンテンツファイル所有者問い合わせメッセージ」には、最新のものから１つ前に表示されたコンテンツファイルの所有者を問い合わせる情報が含まれている。また、この送信の際、図中、矢印で示すように、携帯端末Ａでは、現在、表示装置Ｄに表示中であるコンテンツファイルの一つ前に表示されたコンテンツファイルの所有者を問い合わせるためのユーザ操作が行われている。なお、ステップＳ７２１において、携帯端末Ａは、表示装置Ｄで表示されているコンテンツファイルおよび所有者を特定できていない。
【０１５７】
ステップＳ７２２では、表示装置Ｄは、携帯端末Ａから受信した「所有者問い合わせメッセージ」に基づき、現在表示装置Ｄに表示中のコンテンツファイルｂｎの一つ前に表示されていたコンテンツファイルｂｎ−１の所有者を特定する。そして、ステップＳ７２３では、表示装置Ｄは、「コンテンツファイル所有者問い合わせメッセージ」の応答として、現在表示装置Ｄに表示中のコンテンツファイルｂｎの一つ前に表示されたコンテンツファイルｂｎ−１の所有者（携帯端末Ｂ）、コンテンツファイルｂｎ−１のファイル名を示す「コンテンツファイル所有者問い合わせ応答メッセージ」を携帯端末Ａに送信する。
【０１５８】
ステップＳ７２５では、携帯端末Ａは、表示装置Ｄから受信した「コンテンツファイル所有者問い合わせ応答メッセージ」に基づき、「コンテンツファイル取得要求メッセージ」を携帯端末Ｂに送信する。
【０１５９】
ステップＳ７２７では、携帯端末Ｂは、携帯端末Ａから受信した「コンテンツファイル取得要求メッセージ」に基づき、該当するコンテンツファイルｂｎ−１を携帯端末Ａに送信する。このコンテンツファイルｂｎ−１は、現在表示装置Ｄに表示中のコンテンツファイルｂｎの一つ前に表示されたコンテンツファイルである。
【０１６０】
このように、本実施の形態では、所望のコンテンツファイルを取得するために、この所望のコンテンツファイルを保持する端末を特定する、またはフォルダ階層構造を検索するという、ユーザにとって煩わしい操作を経ずに、簡単なユーザ操作で、携帯端末Ａは、現在表示装置Ｄに表示中のコンテンツファイルｂｎよりも前に表示されたコンテンツファイルを携帯端末Ｂから取得することができる。
【０１６１】
＜動作例６＞
図８を参照して、本実施の形態における、コンテンツファイル取得動作の一例について説明する。
【０１６２】
なお、図８では、コンテンツファイルを単にファイルと表記している。そして、携帯端末Ａはコンテンツファイルａ１（図中、ファイルａ１と表記）を保持し、携帯端末Ｂはコンテンツファイルｂ１（図中、ファイルｂ１と表記）、コンテンツファイルｂｎ（図中、ファイルｂｎと表記）、およびコンテンツファイルｂｎ＋１（図中、ファイルｂｎ＋１と表記）を保持し、携帯端末Ｃはコンテンツファイルｃ１（図中、ファイルｃ１）を保持しているものとする。
【０１６３】
なお、図８に示す斜線を囲む矢印は、ユーザ操作を示す。例えば、コンテンツファイルを表示装置Ｄに送信するための操作や、表示装置Ｄに表示中（あるいは過去に表示済み）のコンテンツファイルを取得するための操作である。
【０１６４】
なお、図８では、携帯端末Ａが表示装置Ｄに表示中のコンテンツファイルを取得する動作を例にとって説明するが、携帯端末Ｂ，Ｃいずれでも同様の動作が可能である。
【０１６５】
なお、図８は、携帯端末Ａが表示装置Ｄに表示中のコンテンツファイルを取得するための動作の一例を示す図であって、携帯端末Ａの動作はこれに限定されるものではない。
【０１６６】
ステップＳ８０１では、携帯端末Ａは「コンテンツファイル表示要求メッセージ」と共にコンテンツファイルａ１を表示装置Ｄに送信する。この送信の際には、図中、矢印で示すように、携帯端末Ａでは、コンテンツファイルａ１を表示装置Ｄに表示するためのユーザ操作が行われている。
【０１６７】
ステップＳ８０３では、表示装置Ｄは、携帯端末Ａから受信した「コンテンツファイル表示要求メッセージ」に基づき、携帯端末Ａのコンテンツファイルａ１を表示する。この際、表示装置Ｄは、このコンテンツファイルａ１の情報（コンテンツファイルの所有者（携帯端末Ａ）、コンテンツファイル名、表示開始時間１２：００：００）を記憶する（図１５（ｃ）参照）。
【０１６８】
ステップＳ８０５では、携帯端末Ｃは「コンテンツファイル表示要求メッセージ」と共にコンテンツファイルｃ１を表示装置Ｄに送信する。この送信の際には、図中、矢印で示すように、携帯端末Ｃでは、コンテンツファイルｃ１を表示装置Ｄに表示するためのユーザ操作が行われている。
【０１６９】
ステップＳ８０７では、表示装置Ｄは、携帯端末Ｃから受信した「コンテンツファイル表示要求メッセージ」に基づき、携帯端末Ｃのコンテンツファイルｃ１を表示する。この際、表示装置Ｄは、コンテンツファイルａ１の情報に加えて、このコンテンツファイルｃ１の情報（コンテンツファイルの所有者（携帯端末Ｃ）、コンテンツファイル名、表示開始時間１２：００：０５、および前コンテンツファイルａ１の表示終了時間１２：００：０５）を記憶する（図１５（ｃ）参照）。
【０１７０】
ステップＳ８０９では、携帯端末Ｂは「コンテンツファイル表示要求メッセージ」と共にコンテンツファイルｂ１を表示装置Ｄに送信する。この送信の際には、図中、矢印で示すように、携帯端末Ｂでは、コンテンツファイルｂ１を表示装置Ｄに表示するためのユーザ操作が行われている。
【０１７１】
ステップＳ８１１では、表示装置Ｄは、携帯端末Ｂから受信した「コンテンツファイル表示要求メッセージ」に基づき、携帯端末Ｂのコンテンツファイルｂ１を表示する。この際、表示装置Ｄは、コンテンツファイルａ１、ｃ１の情報に加えて、このコンテンツファイルｂ１の情報（コンテンツファイルの所有者（携帯端末Ｂ）、コンテンツファイル名、表示開始時間１２：００：０８、および前コンテンツファイルｃ１の表示終了時間１２：００：０８）を記憶する（図１５（ｃ）参照）。
【０１７２】
ステップＳ８１３では、携帯端末Ｂは「コンテンツファイル表示要求メッセージ」と共にコンテンツファイルｂｎを表示装置Ｄに送信する。この送信の際には、図中、矢印で示すように、携帯端末Ｂでは、コンテンツファイルｂｎを表示装置Ｄに表示するためのユーザ操作が行われている。
【０１７３】
ステップＳ８１５では、表示装置Ｄは、携帯端末Ｂから受信した「コンテンツファイル表示要求メッセージ」に基づき、携帯端末Ｂのコンテンツファイルｂｎを表示する。この際、表示装置Ｄは、コンテンツファイルａ１、ｃ１、ｂ１の情報に加えて、このコンテンツファイルｂｎの情報（コンテンツファイルの所有者（携帯端末Ｂ）、コンテンツファイル名、表示開始時間１２：０５：２０、および前コンテンツファイルｂ１の表示終了時間１２：０５：２０）を記憶する（図１５（ｃ）参照）。
【０１７４】
（コンテンツファイル取得操作の開始）
ステップＳ８１６では、携帯端末Ａは、表示装置Ｄ向けに、「コンテンツファイル所有者問い合わせメッセージ」の生成時間（すなわち、コンテンツファイル取得のための操作開始時間１２：０５：２３）を示す情報を含む「コンテンツファイル所有者問い合わせメッセージ」を生成する。この際には、図中、矢印で示すように、携帯端末Ａでは、コンテンツファイル取得のためのユーザ操作が開始されているが、まだ確定していない。つまり、ステップＳ８１６では、コンテンツファイル取得処理が開始されているが、この「コンテンツファイル所有者問い合わせメッセージ」は携帯端末Ａから表示装置Ｄへはまだ送信されていない。
【０１７５】
（割り込み（ユーザ操作））
ステップＳ８１７では、携帯端末Ｂは「コンテンツファイル表示要求メッセージ」と共にコンテンツファイルｂｎ＋１を表示装置Ｄに送信する。この送信の際には、図中、矢印で示すように、携帯端末Ｂでは、コンテンツファイルｂｎ＋１を表示装置Ｄに表示するためのユーザ操作が行われている。
【０１７６】
ステップＳ８１９では、表示装置Ｄは、携帯端末Ｂから受信した「コンテンツファイル表示要求メッセージ」に基づき、携帯端末Ｂのコンテンツファイルｂｎ＋１を表示する。この際、表示装置Ｄは、コンテンツファイルａ１、ｃ１、ｂ１、ｂｎの情報に加えて、このコンテンツファイルｂｎ＋１の情報（コンテンツファイルの所有者（携帯端末Ｂ）、コンテンツファイル名、表示開始時間１２：０５：２５および前コンテンツファイルｂｎの表示終了時間１２：０５：２５）を記憶する（図１５（ｃ）参照）。
【０１７７】
（コンテンツファイル取得操作の確定）
ステップＳ８２１では、携帯端末Ａは、表示装置Ｄ向けに、「コンテンツファイル所有者問い合わせメッセージ」の生成時間（すなわち、コンテンツファイル取得のための操作開始時間１２：０５：２３）を示す情報を含む「コンテンツファイル所有者問い合わせメッセージ」を送信する。この際には、図中、矢印で示すように、携帯端末Ａでは、コンテンツファイル取得のためのユーザ操作が確定している。つまり、ステップＳ８２１では、この「コンテンツファイル所有者問い合わせメッセージ」は携帯端末Ａから表示装置Ｄへ送信されている。なお、ステップＳ８２１において、携帯端末Ａは、表示装置Ｄで表示されているコンテンツファイルおよび所有者を特定できていない。
【０１７８】
（コンテンツファイルの特定）
ステップＳ８２３では、表示装置Ｄは、「コンテンツファイル所有者問い合わせメッセージ」に明示されている「コンテンツファイル所有者問い合わせメッセージ」の生成時間に基づき、ステップＳ８１６でコンテンツファイル取得のための操作が開始された時間に表示されていたコンテンツファイルｂｎを特定する。
【０１７９】
ステップＳ８２５では、表示装置Ｄは、「コンテンツファイル所有者問い合わせメッセージ」の生成時間（つまり、コンテンツファイル取得のための操作開始時間１２：０５：２３）に表示されていたコンテンツファイルｂｎのファイル名及びその所有者（携帯端末Ｂ）を示す「コンテンツファイル所有者問い合わせ応答メッセージ」を携帯端末Ａに送信する。
【０１８０】
ステップＳ８２７では、携帯端末Ａは、表示装置Ｄから受信した「コンテンツファイル所有者問い合わせ応答メッセージ」に基づき、該当するコンテンツファイルｂｎの所有者である携帯端末Ｂに、「コンテンツファイル取得要求メッセージ」を送信する。
【０１８１】
ステップＳ８２９では、携帯端末Ｂは、携帯端末Ａから受信した「コンテンツファイル取得要求メッセージ」に基づき、該当するコンテンツファイルｂｎを携帯端末Ａに送信する。
【０１８２】
このように、本実施の形態では、所望のコンテンツファイルを取得するために、この所望のコンテンツファイルを保持する端末を特定する、またはフォルダ階層構造を検索するという、ユーザにとって煩わしい操作を経ずに、簡単なユーザ操作で、携帯端末Ａは、実際にコンテンツファイルの取得操作を開始した時に表示装置Ｄに表示されていたコンテンツファイルを、このコンテンツファイルの所有者（携帯端末Ｂ）から取得することができる。
【０１８３】
＜動作例７＞
図９を参照して、本実施の形態における、コンテンツファイル取得動作の一例について説明する。
【０１８４】
なお、図９では、コンテンツファイルを単にファイルと表記している。そして、携帯端末Ａはコンテンツファイルａ１（図中、ファイルａ１と表記）を保持し、携帯端末Ｂはコンテンツファイルｂ１（図中、ファイルｂ１と表記）およびコンテンツファイルｂｎ（図中、ファイルｂｎと表記）を保持し、携帯端末Ｃはコンテンツファイルｃ１（図中、ファイルｃ１）を保持しているものとする。
【０１８５】
なお、図９に示す斜線を囲む矢印は、ユーザ操作を示す。例えば、コンテンツファイルを表示装置Ｄに送信するための操作や、表示装置Ｄに表示中（あるいは過去に表示済み）のコンテンツファイルを取得するための操作である。
【０１８６】
なお、図９では、携帯端末Ａが表示装置Ｄに表示中のコンテンツファイルを取得する動作を例にとって説明するが、携帯端末Ｂ，Ｃいずれでも同様の動作が可能である。
【０１８７】
なお、図９は、携帯端末Ａが表示装置Ｄに表示中のコンテンツファイルを取得するための動作の一例を示す図であって、携帯端末Ａの動作はこれに限定されるものではない。
【０１８８】
ステップＳ９０１では、携帯端末Ａは「コンテンツファイル表示要求メッセージ」と共にコンテンツファイルａ１を表示装置Ｄに送信する。この送信の際には、図中、矢印で示すように、携帯端末Ａでは、コンテンツファイルａ１を表示装置Ｄに表示するためのユーザ操作が行われている。また、この送信の際には、携帯端末Ａは、このコンテンツファイルａ１の情報（コンテンツファイル名）を記憶する。
【０１８９】
ステップＳ９０３では、表示装置Ｄは、携帯端末Ａから受信した「コンテンツファイル表示要求メッセージ」に基づき、携帯端末Ａのコンテンツファイルａ１を表示する。この際、表示装置Ｄは、このコンテンツファイルａ１の情報（コンテンツファイルの所有者（携帯端末Ａ））を記憶する。
【０１９０】
ステップＳ９０５では、携帯端末Ｃは「コンテンツファイル表示要求メッセージ」と共にコンテンツファイルｃ１を表示装置Ｄに送信する。この送信の際には、図中、矢印で示すように、携帯端末Ｃでは、コンテンツファイルｃ１を表示装置Ｄに表示するためのユーザ操作が行われている。また、この送信の際には、携帯端末Ｃは、このコンテンツファイルｃ１の情報（コンテンツファイル名）を記憶する。
【０１９１】
ステップＳ９０７では、表示装置Ｄは、携帯端末Ｃから受信した「コンテンツファイル表示要求メッセージ」に基づき、携帯端末Ｃのコンテンツファイルｃ１を表示する。この際、表示装置Ｄは、このコンテンツファイルｃ１の情報（コンテンツファイルの所有者（携帯端末Ｃ））を、記憶されていたコンテンツファイルａ１の情報に上書きして記憶する。
【０１９２】
ステップＳ９０９では、携帯端末Ｂは「コンテンツファイル表示要求メッセージ」と共にコンテンツファイルｂ１を表示装置Ｄに送信する。この送信の際、図中、矢印で示すように、携帯端末Ｂでは、コンテンツファイルｂ１を表示装置Ｄに表示するためのユーザ操作が行われている。また、この送信の際、携帯端末Ｂは、このコンテンツファイルｂ１の情報（コンテンツファイル名）を記憶する。
【０１９３】
ステップＳ９１１では、表示装置Ｄは、携帯端末Ｂから受信した「コンテンツファイル表示要求メッセージ」に基づき、携帯端末Ｂのコンテンツファイルｂ１を表示する。この際、表示装置Ｄは、このコンテンツファイルｂ１の情報（コンテンツファイルの所有者（携帯端末Ｂ））を、記憶されていたコンテンツファイルｃ１の情報に上書きして記憶する。
【０１９４】
ステップＳ９１３では、携帯端末Ｂは「コンテンツファイル表示要求メッセージ」と共にコンテンツファイルｂｎを表示装置Ｄに送信する。この送信の際、図中、矢印で示すように、携帯端末Ｂでは、コンテンツファイルｂｎを表示装置Ｄに表示するためのユーザ操作が行われている。また、この送信の際、携帯端末Ｂは、このコンテンツファイルｂｎの情報（コンテンツファイル名）を、コンテンツファイルｂ１の情報に上書きして記憶する。
【０１９５】
ステップＳ９１５では、表示装置Ｄは、携帯端末Ｂから受信した「コンテンツファイル表示要求メッセージ」に基づき、携帯端末Ｂのコンテンツファイルｂｎを表示する。この際、表示装置Ｄは、このコンテンツファイルｂｎの情報（コンテンツファイルの所有者（携帯端末Ｂ））を、記憶されていたコンテンツファイルｂ１の情報に上書きして記憶する。
【０１９６】
ステップＳ９１７では、携帯端末Ａは、現在、表示装置Ｄに表示中であるコンテンツを取得するために、「コンテンツファイル所有者問い合わせメッセージ」を表示装置Ｄに送信する。この送信の際、図中、矢印で示すように、携帯端末Ａでは、現在、表示装置Ｄで表示中のコンテンツファイルを取得するためのユーザ操作が行われている。なお、ステップＳ９１７において、携帯端末Ａは、表示装置Ｄで表示されているコンテンツファイルおよび所有者を特定できていない。
【０１９７】
ステップＳ９１９では、表示装置Ｄは、この「コンテンツファイル所有者問い合わせメッセージ」に基づき、現在、表示装置Ｄに表示中のコンテンツファイルの所有者を特定する。そして、ステップＳ９２１で、表示装置Ｄは、「コンテンツファイル所有者問い合わせメッセージ」の応答として、現在表示装置Ｄに表示中のコンテンツファイルの所有者（携帯端末Ｂ）を示す「コンテンツファイル所有者問い合わせ応答メッセージ」を携帯端末Ａへ送信する。
【０１９８】
ステップＳ９２３では、携帯端末Ａは、この「コンテンツファイル所有者問い合わせ応答メッセージ」が示すコンテンツファイルの所有者（携帯端末Ｂ）に対して、現在、表示装置Ｄに表示中のコンテンツファイルを取得するための「コンテンツファイル取得要求メッセージ」を送信する。
【０１９９】
ステップＳ９２５では、携帯端末Ｂは、携帯端末から受信した「コンテンツファイル取得要求メッセージ」に基づき、現在、表示装置Ｄに表示中のコンテンツファイルｂｎを特定する。
【０２００】
ステップＳ９２７では、携帯端末Ｂは、この特定したコンテンツファイルｂｎを携帯端末Ａに送信する。
【０２０１】
このように、本実施の形態では、所望のコンテンツファイルを取得するために、この所望のコンテンツファイルを保持する端末を特定する、またはフォルダ階層構造を検索するという、ユーザにとって煩わしい操作を経ずに、簡単なユーザ操作で、携帯端末Ａは、所有者である携帯端末Ｂから、現在、表示装置Ｄで表示中のコンテンツファイルを取得することができる。
【０２０２】
＜動作例８＞
図１０を参照して、本実施の形態における、コンテンツファイル取得動作の一例について説明する。
【０２０３】
なお、図１０では、コンテンツファイルを単にファイルと表記している。そして、携帯端末Ａはコンテンツファイルａ１（図中、ファイルａ１と表記）を保持し、携帯端末Ｂはコンテンツファイルｂ１（図中、ファイルｂ１と表記）と、コンテンツファイルｂｎ−１（図中、ファイルｂｎ−１と表記）と、コンテンツファイルｂｎ（図中、ファイルｂｎと表記）とを保持し、携帯端末Ｃはコンテンツファイルｃ１（図中、ファイルｃ１）を保持しているものとする。
【０２０４】
なお、図１０に示す斜線を囲む矢印は、ユーザ操作を示す。例えば、コンテンツファイルをコンテンツファイル再生装置として機能する携帯端末に送信するための操作や、コンテンツファイル再生装置として機能する携帯端末に表示中（あるいは過去に表示済み）のコンテンツファイルを取得するための操作である。
【０２０５】
なお、図１０では、携帯端末Ａが表示装置Ｄに表示中のコンテンツファイルを取得する動作を例にとって説明するが、携帯端末Ｂ，Ｃいずれでも同様の動作が可能である。
【０２０６】
なお、図１０は、携帯端末Ａが表示装置Ｄに表示中のコンテンツファイルを取得するための動作の一例を示す図であって、携帯端末Ａの動作はこれに限定されるものではない。
【０２０７】
ステップＳ１００１では、携帯端末Ａは「コンテンツファイル表示要求メッセージ」と共にコンテンツファイルａ１を表示装置Ｄに送信する。この送信の際には、図中、矢印で示すように、携帯端末Ａでは、コンテンツファイルａ１を表示装置Ｄに表示するためのユーザ操作が行われている。また、この送信の際には、携帯端末Ａは、コンテンツファイルａ１の情報（コンテンツファイル名、表示順（１番目））を記憶する。
【０２０８】
ステップＳ１００３では、表示装置Ｄは、携帯端末Ａから受信した「コンテンツファイル表示要求メッセージ」に基づき、携帯端末Ａのコンテンツファイルａ１を表示する。この際、表示装置Ｄは、このコンテンツファイルａ１の情報（コンテンツファイルの所有者（携帯端末Ａ）、表示順（１番目））を記憶する。
【０２０９】
ステップＳ１００５では、携帯端末Ｃは「コンテンツファイル表示要求メッセージ」と共にコンテンツファイルｃ１を表示装置Ｄに送信する。この送信の際には、図中、矢印で示すように、携帯端末Ｃでは、コンテンツファイルｃ１を表示装置Ｄに表示するためのユーザ操作が行われている。また、この送信の際には、携帯端末Ｃは、コンテンツファイルｃ１の情報（コンテンツファイル名、表示順（１番目））を記憶する。
【０２１０】
ステップＳ１００７では、表示装置Ｄは、携帯端末Ｃから受信した「コンテンツファイル表示要求メッセージ」に基づき、携帯端末Ｃのコンテンツファイルｃ１を表示する。この際、表示装置Ｄは、コンテンツファイルａ１の情報に加えて、このコンテンツファイルｃ１の情報（コンテンツファイルの所有者（携帯端末Ｃ）、表示順（２番目））を記憶する。
【０２１１】
ステップＳ１００９では、携帯端末Ｂは「コンテンツファイル表示要求メッセージ」と共にコンテンツファイルｂ１を表示装置Ｄに送信する。この送信の際には、図中、矢印で示すように、携帯端末Ｂでは、コンテンツファイルｂ１を表示装置Ｄに表示するためのユーザ操作が行われている。また、この送信の際には、携帯端末Ｂは、コンテンツファイルｂ１の情報（コンテンツファイル名、表示順（１番目））を記憶する。
【０２１２】
ステップＳ１０１１では、表示装置Ｄは、携帯端末Ｂから受信した「コンテンツファイル表示要求メッセージ」に基づき、携帯端末Ｂのコンテンツファイルｂ１を表示する。この際、表示装置Ｄは、コンテンツファイルａ１、ｃ１の情報に加えて、このコンテンツファイルｂ１の情報（コンテンツファイルの所有者（携帯端末Ｂ）、表示順（３番目））を記憶する。
【０２１３】
ステップＳ１０１３では、携帯端末Ｂは「コンテンツファイル表示要求メッセージ」と共にコンテンツファイルｂｎ−１を表示装置Ｄに送信する。この送信の際には、図中、矢印で示すように、携帯端末Ｂでは、コンテンツファイルｂｎ−１を表示装置Ｄに表示するためのユーザ操作が行われている。また、この送信の際には、携帯端末Ｂは、コンテンツファイルｂ１の情報に加えて、このコンテンツファイルｂｎ−１の情報（コンテンツファイル名、表示順（（ｎ−１）番目））を記憶する。
【０２１４】
ステップＳ１０１５では、表示装置Ｄは、携帯端末Ｂから受信した「コンテンツファイル表示要求メッセージ」に基づき、携帯端末Ｂのコンテンツファイルｂｎ−１を表示する。この際、表示装置Ｄは、コンテンツファイルａ１、ｃ１、ｂ１の情報に加えて、このコンテンツファイルｂｎ−１の情報（コンテンツファイルの所有者（携帯端末Ｂ）、表示順（（ｎ−１）番目））を記憶する（図１５（ｂ）参照）。
【０２１５】
ステップＳ１０１７では、携帯端末Ｂは「コンテンツファイル表示要求メッセージ」と共にコンテンツファイルｂｎを表示装置Ｄに送信する。この送信の際には、図中、矢印で示すように、携帯端末Ｂでは、コンテンツファイルｂｎを表示装置Ｄに表示するためのユーザ操作が行われている。また、この送信の際には、携帯端末Ｂは、コンテンツファイルｂ１、ｂｎ−１の情報に加えて、コンテンツファイルｂｎの情報（コンテンツファイル名、表示順（ｎ番目））を記憶する。
【０２１６】
ステップＳ１０１９では、表示装置Ｄは、携帯端末Ｂから受信した「コンテンツファイル表示要求メッセージ」に基づき、携帯端末Ｂのコンテンツファイルｂｎを表示する。この際、表示装置Ｄは、コンテンツファイルａ１、ｃ１、ｂ１、ｂｎ−１の情報に加えて、このコンテンツファイルｂｎの情報（コンテンツファイルの所有者（携帯端末Ｂ）、表示順（ｎ番目））を記憶する（図１５（ｂ）参照）。
【０２１７】
ステップＳ１０２１では、携帯端末Ａは、現在、表示装置Ｄに表示中であるコンテンツファイルの一つ前に表示されたコンテンツファイルの所有者を問い合わせるために、「コンテンツファイル所有者問い合わせメッセージ」を表示装置Ｄに送信する。この「コンテンツファイル所有者問い合わせメッセージ」には、最新のものから１つ前に表示されたコンテンツファイルの所有者を問い合わせる情報が含まれている。また、この送信の際、図中、矢印で示すように、携帯端末Ａでは、現在、表示装置Ｄに表示中であるコンテンツファイルの一つ前に表示されたコンテンツファイルの所有者を問い合わせるためのユーザ操作が行われている。なお、ステップＳ１０２１において、携帯端末Ａは、表示装置Ｄで表示されているコンテンツファイルおよび所有者を特定できていない。
【０２１８】
ステップＳ１０２３では、表示装置Ｄは、携帯端末Ａから受信した「コンテンツファイル所有者問い合わせメッセージ」に基づき、現在表示装置Ｄに表示中のコンテンツファイルの一つ前に表示されたコンテンツファイルの所有者（携帯端末Ｂ）を特定する。
【０２１９】
ステップＳ１０２５では、表示装置Ｄは、現在表示装置Ｄに表示中のコンテンツファイルの一つ前に表示されたコンテンツファイルの所有者（携帯端末Ｂ）及びこのコンテンツファイルを所有者（携帯端末Ｂ）がいくつ前に表示したかを示す情報を含む「コンテンツファイル所有者問い合わせ応答メッセージ」を携帯端末Ａに送信する。
【０２２０】
ステップＳ１０２７では、携帯端末Ａは、表示装置Ｄから受信した「コンテンツファイル所有者問い合わせ応答メッセージ」に基づき、「コンテンツファイル取得要求メッセージ」を携帯端末Ｂに送信する。
【０２２１】
ステップＳ１０２９では、携帯端末Ｂは、携帯端末Ａから受信した「コンテンツファイル取得要求メッセージ」に基づき、該当するコンテンツファイルｂｎ−１を特定する。このコンテンツファイルｂｎ−１は、現在表示装置Ｄに表示中のコンテンツファイルｂｎの一つ前に表示されたコンテンツファイルである。
【０２２２】
ステップＳ１０３１では、携帯端末Ｂは、特定したコンテンツファイルｂｎ−１を携帯端末Ａに送信する。
【０２２３】
このように、本実施の形態では、所望のコンテンツファイルを取得するために、この所望のコンテンツファイルを保持する端末を特定する、またはフォルダ階層構造を検索するという、ユーザにとって煩わしい操作を経ずに、簡単なユーザ操作で、携帯端末Ａは、現在表示装置Ｄに表示中のコンテンツファイルｂｎよりも前に表示されたコンテンツファイルをその所有者である携帯端末Ｂから取得することができる。
【０２２４】
＜動作例９＞
図１１を参照して、本実施の形態における、コンテンツファイル取得動作の一例について説明する。
【０２２５】
なお、図１１では、コンテンツファイルを単にファイルと表記している。そして、携帯端末Ａはコンテンツファイルａ１（図中、ファイルａ１と表記）を保持し、携帯端末Ｂはコンテンツファイルｂ１（図中、ファイルｂ１と表記）と、コンテンツファイルｂｎ（図中、ファイルｂｎと表記）と、コンテンツファイルｂｎ＋１（図中、ファイルｂｎ＋１と表記）とを保持し、携帯端末Ｃはコンテンツファイルｃ１（図中、ファイルｃ１）を保持しているものとする。
【０２２６】
なお、図１１に示す斜線を囲む矢印は、ユーザ操作を示す。例えば、コンテンツファイルをコンテンツファイル再生装置として機能する携帯端末に送信するための操作や、コンテンツファイル再生装置として機能する携帯端末に表示中（あるいは過去に表示済み）のコンテンツファイルを取得するための操作である。
【０２２７】
なお、図１１では、携帯端末Ａが表示装置Ｄに表示中のコンテンツファイルを取得する動作を例にとって説明するが、携帯端末Ｂ，Ｃいずれでも同様の動作が可能である。
【０２２８】
なお、図１１は、携帯端末Ａが表示装置Ｄに表示中のコンテンツファイルを取得するための動作の一例を示す図であって、携帯端末Ａの動作はこれに限定されるものではない。
【０２２９】
ステップＳ１１０１では、携帯端末Ａは「コンテンツファイル表示要求メッセージ」と共にコンテンツファイルａ１を表示装置Ｄに送信する。この送信の際には、図中、矢印で示すように、携帯端末Ａでは、コンテンツファイルａ１を表示装置Ｄに表示するためのユーザ操作が行われている。また、この送信の際、携帯端末Ａは、コンテンツファイルａ１の情報（コンテンツファイル名、表示開始時間１２：００：００）を記憶する。
【０２３０】
ステップＳ１１０３では、表示装置Ｄは、携帯端末Ａから受信した「コンテンツファイル表示要求メッセージ」に基づき、携帯端末Ａのコンテンツファイルａ１を表示する。この際、表示装置Ｄは、このコンテンツファイルａ１の情報（所有者（携帯端末Ａ）、表示開始時間１２：００：００）を記憶する。
【０２３１】
ステップＳ１１０５では、携帯端末Ｃは「コンテンツファイル表示要求メッセージ」と共にコンテンツファイルｃ１を表示装置Ｄに送信する。この送信の際には、図中、矢印で示すように、携帯端末Ｃでは、コンテンツファイルｃ１を表示装置Ｄに表示するためのユーザ操作が行われている。また、この送信の際、携帯端末Ｃは、コンテンツファイルｃ１の情報（コンテンツファイル名、表示開始時間１２：００：０５）を記憶する。
【０２３２】
ステップＳ１１０７では、表示装置Ｄは、携帯端末Ｃから受信した「コンテンツファイル表示要求メッセージ」に基づき、携帯端末Ｃのコンテンツファイルｃ１を表示する。この際、表示装置Ｄは、コンテンツファイルａ１の情報に加えて、このコンテンツファイルｃ１の情報（所有者（携帯端末Ｃ）、表示開始時間１２：００：０５および前コンテンツファイルａ１の表示終了時間１２：００：０５）を記憶する。
【０２３３】
ステップＳ１１０９では、携帯端末Ｂは「コンテンツファイル表示要求メッセージ」と共にコンテンツファイルｂ１を表示装置Ｄに送信する。この送信の際には、図中、矢印で示すように、携帯端末Ｂでは、コンテンツファイルｂ１を表示装置Ｄに表示するためのユーザ操作が行われている。また、この送信の際、携帯端末Ｂは、コンテンツファイルｂ１の情報（コンテンツファイル名、表示開始時間１２：００：０８）を記憶する。
【０２３４】
ステップＳ１１１１では、表示装置Ｄは、携帯端末Ｂから受信した「コンテンツファイル表示要求メッセージ」に基づき、携帯端末Ｂのコンテンツファイルｂ１を表示する。この際、表示装置Ｄは、コンテンツファイルａ１、ｃ１の情報に加えて、このコンテンツファイルｂ１の情報（所有者（携帯端末Ｂ）、表示開始時間１２：００：０８および前コンテンツファイルｃ１の表示終了時間１２：００：０８）を記憶する。
【０２３５】
ステップＳ１１１３では、携帯端末Ｂは「コンテンツファイル表示要求メッセージ」と共にコンテンツファイルｂｎを表示装置Ｄに送信する。この送信の際には、図中、矢印で示すように、携帯端末Ｂでは、コンテンツファイルｂｎを表示装置Ｄに表示するためのユーザ操作が行われている。また、この送信の際、携帯端末Ｂは、コンテンツファイルｂ１の情報に加えて、このコンテンツファイルｂｎの情報（コンテンツファイル名、表示開始時間１２：０５：２０）を記憶する。
【０２３６】
ステップＳ１１１５では、表示装置Ｄは、携帯端末Ｂから受信した「コンテンツファイル表示要求メッセージ」に基づき、携帯端末Ｂのコンテンツファイルｂｎを表示する。この際、表示装置Ｄは、コンテンツファイルａ１、ｃ１、ｂ１の情報に加えて、このコンテンツファイルｂｎの情報（所有者（携帯端末Ｂ）、表示開始時間１２：０５：２０および前コンテンツファイルｂ１の表示終了時間１２：０５：２０）を記憶する。
【０２３７】
（コンテンツファイル取得操作の開始）
ステップＳ１１１６では、携帯端末Ａは、表示装置Ｄ向けに、「コンテンツファイル所有者問い合わせメッセージ」の生成時間（すなわち、コンテンツファイル取得のための操作開始時間１２：０５：２３）を示す情報を含む「コンテンツファイル所有者問い合わせメッセージ」を生成する。この際には、図中、矢印で示すように、携帯端末Ａでは、コンテンツファイル取得のためのユーザ操作が開始されているが、まだ確定していない。つまり、ステップＳ１１１６では、コンテンツファイル取得処理が開始されているが、この「コンテンツファイル所有者問い合わせメッセージ」は携帯端末Ａから表示装置Ｄへはまだ送信されていない。
【０２３８】
（割り込み（ユーザ操作））
ステップＳ１１１７では、携帯端末Ｂは「コンテンツファイル表示要求メッセージ」と共にコンテンツファイルｂｎ＋１を表示装置Ｄに送信する。この送信の際には、図中、矢印で示すように、携帯端末Ｂでは、コンテンツファイルｂｎ＋１を表示装置Ｄに表示するためのユーザ操作が行われている。この際、表示装置Ｄは、コンテンツファイルｂ１、ｂｎの情報に加えて、このコンテンツファイルｂｎ＋１の情報（コンテンツファイル名、表示開始時間１２：０５：２５）を記憶する。
【０２３９】
ステップＳ１１１９では、表示装置Ｄは、携帯端末Ｂから受信した「コンテンツファイル表示要求メッセージ」に基づき、携帯端末Ｂのコンテンツファイルｂｎ＋１を表示する。この際、表示装置Ｄは、コンテンツファイルａ１、ｃ１、ｂ１、ｂｎの情報に加えて、このコンテンツファイルｂｎ＋１の情報（所有者（携帯端末Ｂ）、表示開始時間１２：０５：２５および前コンテンツファイルｂｎの表示終了時間１２：０５：２５）を記憶する（図１５（ｃ）参照）。
【０２４０】
（コンテンツファイル取得操作の確定）
ステップＳ１１２１では、携帯端末Ａは、表示装置Ｄ向けに、「コンテンツファイル所有者問い合わせメッセージ」の生成時間（すなわち、コンテンツファイル取得のための操作開始時間１２：０５：２３）を示す情報を含む「コンテンツファイル所有者問い合わせメッセージ」を送信する。この際、図中、矢印で示すように、携帯端末Ａでは、コンテンツファイル取得のためのユーザ操作が確定している。つまり、ステップＳ１１２１では、この「コンテンツファイル所有者問い合わせメッセージ」は携帯端末Ａから表示装置Ｄへ送信されている。なお、ステップＳ１１２１において、携帯端末Ａは、表示装置Ｄで表示されているコンテンツファイルおよび所有者を特定できていない。
【０２４１】
（コンテンツファイルの特定）
ステップＳ１１２３では、表示装置Ｄは、「コンテンツファイル所有者問い合わせメッセージ」に明示されている「コンテンツファイル所有者問い合わせメッセージ」の生成時間に基づき、ステップＳ１１１６でコンテンツファイル取得のための操作が開始された時間に表示されていたコンテンツファイルの所有者（携帯端末Ｂ）を特定する。
【０２４２】
ステップＳ１１２５では、表示装置Ｄは、「コンテンツファイル所有者問い合わせメッセージ」の生成時間（つまり、コンテンツファイル取得のための操作が開始された時間）に表示されていたコンテンツファイルの所有者（携帯端末Ｂ）を示す「コンテンツファイル所有者問い合わせ応答メッセージ」を携帯端末Ａに送信する。
【０２４３】
ステップＳ１１２７では、携帯端末Ａは、表示装置Ｄから受信した「コンテンツファイル所有者問い合わせ応答メッセージ」に基づき、該当するコンテンツファイルの所有者である携帯端末Ｂに、「コンテンツファイル取得要求メッセージ」を送信する。
【０２４４】
ステップＳ１１２９では、携帯端末Ｂは、携帯端末Ａから受信した「コンテンツファイル取得要求メッセージ」に基づき、該当するコンテンツファイルｂｎを特定する。
【０２４５】
ステップＳ１１３１では、携帯端末Ｂは、特定したコンテンツファイルｂｎを携帯端末Ａに送信する。
【０２４６】
このように、本実施の形態では、所望のコンテンツファイルを取得するために、この所望のコンテンツファイルを保持する端末を特定する、またはフォルダ階層構造を検索するという、ユーザにとって煩わしい操作を経ずに、簡単なユーザ操作で、携帯端末Ａは、実際にコンテンツファイルの取得操作を開始した時に表示装置Ｄに表示されていたコンテンツファイルを、このコンテンツファイルの所有者（携帯端末Ｂ）から取得することができる。
【０２４７】
図１２は、本実施の形態における通信システムの一例である。
【０２４８】
図１２を参照して、この通信システム動作の概略を説明する。ここで、携帯端末Ａ、携帯端末Ｂ、携帯端末Ｃ、及び表示装置ＤはＤＬＮＡ対応機器である。携帯端末Ａ、携帯端末Ｂ、及び携帯端末Ｃは、ローカルネットワーク内で、各携帯端末が所有するコンテンツファイルを表示装置Ｄに表示させることができる。また、携帯端末Ａ、携帯端末Ｂ、携帯端末Ｃ、及び表示装置Ｄが構成するローカルネットワーク内で各携帯端末が所有するコンテンツファイルを共有することができる。
【０２４９】
図１２に示す通信システムにおいて、携帯端末Ｂが、所有するコンテンツファイルを表示装置Ｄに送信して（ステップＳ１２０１）、表示装置Ｄがそのコンテンツファイルを表示する（ステップＳ１２０２）。携帯端末Ａは、表示中のコンテンツファイルの所有者を問い合わせるメッセージをこのローカルネットワークに一斉送信（ブロードキャスト）する（ステップＳ１２０３）。そして、各携帯端末Ｂ，Ｃ，及び表示装置Ｄは、その問い合わせ結果として、その表示中のコンテンツファイルの表示開始時間を携帯端末Ａに通知する（ステップＳ１２０５）。携帯端末Ａはコンテンツファイルの表示開始時間に基づき、コンテンツファイルの所有者である携帯端末Ｂに表示装置Ｄで表示中のコンテンツファイルを取得するためのコンテンツファイル取得要求メッセージを送信する（ステップＳ１２０７）。携帯端末Ｂは、この取得要求メッセージに基づき、表示装置Ｄで表示中のコンテンツファイルを携帯端末Ａに送信する（ステップＳ１２０９）。
【０２５０】
次に、図１３〜図１４を参照して、図１２に示す通信システムの動作例１０、１１を説明する。
【０２５１】
＜動作例１０＞
図１３を参照して、図１２に示す本実施の形態に係る通信システムにおける動作例１０について説明する。
【０２５２】
図１３を参照して、本実施の形態における、コンテンツファイル取得動作の一例について説明する。
【０２５３】
なお、図１３では、コンテンツファイルを単にファイルと表記している。そして、携帯端末Ａはコンテンツファイルａ１（図中、ファイルａ１と表記）およびコンテンツファイルａｎ（図中、ファイルａｎと表記）を保持し、携帯端末Ｂはコンテンツファイルｂ１（図中、ファイルｂ１と表記）およびコンテンツファイルｂｎ（図中、ファイルｂｎと表記）を保持し、携帯端末Ｃはコンテンツファイルｃ１（図中、ファイルｃ１）およびコンテンツファイルｃｎ（図中、ファイルｃｎと表記）を保持しているものとする。
【０２５４】
なお、図１３に示す斜線を囲む矢印は、ユーザ操作を示す。例えば、コンテンツファイルを表示装置Ｄに送信するための操作や、表示装置Ｄに表示中（あるいは過去に表示済み）のコンテンツファイルを取得するための操作である。
【０２５５】
なお、図１３では、携帯端末Ａが表示装置Ｄに表示中のコンテンツファイルを取得する動作を例にとって説明するが、携帯端末Ｂ，Ｃいずれでも同様の動作が可能である。
【０２５６】
なお、図１３は、携帯端末Ａが表示装置Ｄに表示中のコンテンツファイルを取得するための動作の一例を示す図であって、携帯端末Ａの動作はこれに限定されるものではない。
【０２５７】
ステップＳ１３０１では、携帯端末Ａは「コンテンツファイル表示要求メッセージ」と共にコンテンツファイルａ１を表示装置Ｄに送信する。この送信の際には、図中、矢印で示すように、携帯端末Ａでは、コンテンツファイルａ１を表示装置Ｄに表示するためのユーザ操作が行われている。また、この送信の際には、携帯端末Ａは、このコンテンツファイルａ１の情報（コンテンツファイル名および表示開始時間１１：５９：００）を記憶する。
【０２５８】
ステップＳ１３０３では、表示装置Ｄは、携帯端末Ａから受信した「コンテンツファイル表示要求メッセージ」に基づき、携帯端末Ａのコンテンツファイルａ１を表示する。
【０２５９】
ステップＳ１３０５では、携帯端末Ｃは「コンテンツファイル表示要求メッセージ」と共にコンテンツファイルｃ１を表示装置Ｄに送信する。この送信の際には、図中、矢印で示すように、携帯端末Ｃでは、コンテンツファイルｃ１を表示装置Ｄに表示するためのユーザ操作が行われている。また、この送信の際には、携帯端末Ｃは、このコンテンツファイルｃ１の情報（コンテンツファイル名および表示開始時間１１：５９：１０）を記憶する。
【０２６０】
ステップＳ１３０７では、表示装置Ｄは、携帯端末Ｃから受信した「コンテンツファイル表示要求メッセージ」に基づき、携帯端末Ｃのコンテンツファイルｃ１を表示する。
【０２６１】
ステップＳ１３０９では、携帯端末Ｂは「コンテンツファイル表示要求メッセージ」と共にコンテンツファイルｂ１を表示装置Ｄに送信する。この送信の際には、図中、矢印で示すように、携帯端末Ｂでは、コンテンツファイルｂ１を表示装置Ｄに表示するためのユーザ操作が行われている。また、この送信の際には、携帯端末Ｂは、このコンテンツファイルｂ１の情報（コンテンツファイル名および表示開始時間１１：５９：２０）を記憶する。
【０２６２】
ステップＳ１３０７では、表示装置Ｄは、携帯端末Ｂから受信した「コンテンツファイル表示要求メッセージ」に基づき、携帯端末Ｂのコンテンツファイルｂ１を表示する。
【０２６３】
ステップＳ１３１３では、携帯端末Ａは「コンテンツファイル表示要求メッセージ」と共にコンテンツファイルａｎを表示装置Ｄに送信する。この送信の際には、図中、矢印で示すように、携帯端末Ａでは、コンテンツファイルａｎを表示装置Ｄに表示するためのユーザ操作が行われている。また、この送信の際には、携帯端末Ａは、このコンテンツファイルａｎの情報（コンテンツファイル名および表示開始時間１２：００：００）を記憶していたコンテンツファイルａ１の情報に上書きする。
【０２６４】
ステップＳ１３１５では、表示装置Ｄは、携帯端末Ａから受信した「コンテンツファイル表示要求メッセージ」に基づき、携帯端末Ａのコンテンツファイルａｎを表示する。
【０２６５】
ステップＳ１３１７では、携帯端末Ｃは「コンテンツファイル表示要求メッセージ」と共にコンテンツファイルｃｎを表示装置Ｄに送信する。この送信の際には、図中、矢印で示すように、携帯端末Ｃでは、コンテンツファイルｃｎを表示装置Ｄに表示するためのユーザ操作が行われている。また、この送信の際には、携帯端末Ｃは、このコンテンツファイルｃｎの情報（コンテンツファイル名および表示開始時間１２：００：１０）を記憶していたコンテンツファイルｃ１の情報に上書きする。
【０２６６】
ステップＳ１３１９では、表示装置Ｄは、携帯端末Ｃから受信した「コンテンツファイル表示要求メッセージ」に基づき、携帯端末Ｃのコンテンツファイルｃｎを表示する。
【０２６７】
ステップＳ１３２１では、携帯端末Ｂは「コンテンツファイル表示要求メッセージ」と共にコンテンツファイルｂｎを表示装置Ｄに送信する。この送信の際には、図中、矢印で示すように、携帯端末Ｂでは、コンテンツファイルｂｎを表示装置Ｄに表示するためのユーザ操作が行われている。また、この送信の際には、携帯端末Ｂは、このコンテンツファイルｂｎの情報（コンテンツファイル名および表示開始時間１２：００：２０）を記憶していたコンテンツファイルｂ１の情報に上書きする。
【０２６８】
ステップＳ１３２３では、表示装置Ｄは、携帯端末Ｂから受信した「コンテンツファイル表示要求メッセージ」に基づき、携帯端末Ｂのコンテンツファイルｂｎを表示する。
【０２６９】
（コンテンツファイル取得処理）
ステップＳ１３２５，Ｓ１３２７，Ｓ１３２９では、携帯端末Ａは、現在、表示装置Ｄに表示中であるコンテンツを取得するために、「コンテンツファイル所有者問い合わせメッセージ」をローカルネットワーク内の各携帯端末Ｂ，Ｃ，及び表示装置Ｄに一斉送信（ブロードキャスト）する。この送信の際、携帯端末Ａは、コンテンツファイル取得操作開始時間として、この「コンテンツファイル所有者問い合わせメッセージ」を生成した時間（１２：００：２５）を記憶する。また、この送信の際、図中、矢印で示すように、携帯端末Ａでは、現在、表示装置Ｄで表示中のコンテンツファイルを取得するためのユーザ操作が行われている。なお、ステップＳ１３２５，Ｓ１３２７，Ｓ１３２９において、携帯端末Ａは、表示装置Ｄで表示されているコンテンツファイルおよび所有者を特定できていない。
【０２７０】
ステップＳ１３３１では、携帯端末Ｂは、コンテンツファイルｂｎの情報（コンテンツファイル名および表示開始時間１２：００：２０）が含まれた「コンテンツファイル所有者問い合わせ応答メッセージ」を携帯端末Ａに送信する。
【０２７１】
ステップＳ１３３３では、携帯端末Ｃは、コンテンツファイルｃｎの情報（コンテンツファイル名および表示開始時間１２：００：１０）が含まれた「コンテンツファイル所有者問い合わせ応答メッセージ」を携帯端末Ａに送信する。
【０２７２】
ステップＳ１３３５では、表示装置Ｄは、表示開始時間（００：００：００）とコンテンツファイル名（ＮＵＬＬ）が含まれた「コンテンツファイル所有者問い合わせ応答メッセージ」を携帯端末Ａに送信する。この場合、表示装置Ｄは、コンテンツファイルの情報を保持していないので、表示開始時間として００：００：００を、コンテンツファイル名として、ＮＵＬＬを携帯端末Ａに送信する。
【０２７３】
ステップＳ１３３７では、携帯端末Ａは、各携帯端末Ｂ，Ｃ，及び表示装置Ｄから受信した「コンテンツファイル所有者問い合わせ応答メッセージ」に含まれるコンテンツファイルの情報と、自端末で記憶している「コンテンツファイル所有者問い合わせメッセージ」を生成した時間（１２：００：２５）とから、コンテンツファイル取得操作を開始した時間（１２：００：２５）に、表示装置Ｄに表示していたコンテンツファイルｂｎを特定することができる。そして、ステップＳ１３３９では、携帯端末Ａは、特定したコンテンツファイルｂｎを取得するために、その所有者である携帯端末Ｂに「コンテンツファイル取得要求メッセージ」を送信する。
【０２７４】
ステップＳ１３４１では、携帯端末Ｂは、「コンテンツファイル取得要求メッセージ」の応答として、コンテンツファイルｂｎを携帯端末Ａへ送信する。
【０２７５】
このように、本実施の形態では、所望のコンテンツファイルを取得するために、この所望のコンテンツファイルを保持する端末を特定する、またはフォルダ階層構造を検索するという、ユーザにとって煩わしい操作を経ずに、簡単なユーザ操作で、携帯端末Ａは、実際にコンテンツファイルの取得操作を開始した時に表示装置Ｄに表示されていたコンテンツファイルを、このコンテンツファイルの所有者（携帯端末Ｂ）から取得することができる。
【０２７６】
なお、図１３に示す動作例１０において、表示装置Ｄで自端末のコンテンツファイルを表示中に、他の携帯端末が別のコンテンツファイルを表示した場合には、表示装置Ｄから表示停止通知として機能するメッセージが送信されることが考えられる。例えば、ステップＳ１３０７では、表示装置Ｄは、携帯端末Ｃのコンテンツファイルｃ１を表示すると、携帯端末Ａに、表示停止通知として機能するメッセージを送信する。なお、ステップＳ１３３１、ステップＳ１３３３、ステップＳ１３３５では、表示装置Ｄで自端末のコンテンツファイルが表示中であれば、コンテンツファイルの情報に直近の表示開始時間を含めた「コンテンツファイル所有者問い合わせ応答メッセージ」が送信されればよい。表示装置Ｄで自端末のコンテンツファイルが表示中でなければ、コンテンツファイルの情報に００：００：００を含めた「コンテンツファイル所有者問い合わせ応答メッセージ」が送信されればよい。
【０２７７】
なお、本実施の形態において、表示装置Ｄ、および自端末のコンテンツファイルが表示装置Ｄで表示中でない携帯端末が送信する、前記「コンテンツファイル所有者問い合わせ応答メッセージ」に含まれる表示開始時間（００：００：００）、およびコンテンツファイル名（ＮＵＬＬ）は一例であり、これに限定されない。
【０２７８】
＜動作例１１＞
図１４を参照して、図１２に示す本実施の形態に係る通信システムにおける動作例１１について説明する。
【０２７９】
なお、図１４では、コンテンツファイルを単にファイルと表記している。そして、携帯端末Ａはコンテンツファイルａ１（図中、ファイルａ１と表記）およびコンテンツファイルａｎ（図中、ファイルａｎと表記）を保持し、携帯端末Ｂはコンテンツファイルｂ１（図中、ファイルｂ１と表記）、コンテンツファイルｂｎ（図中、ファイルｂｎと表記）およびコンテンツファイルｂｎ＋１（図中、ファイルｂｎ＋１と表記）を保持し、携帯端末Ｃはコンテンツファイルｃ１（図中、ファイルｃ１）およびコンテンツファイルｃｎ（図中、ファイルｃｎと表記）を保持しているものとする。
【０２８０】
なお、図１４に示す斜線を囲む矢印は、ユーザ操作を示す。例えば、コンテンツファイルを表示装置Ｄに送信するための操作や、表示装置Ｄに表示中（あるいは過去に表示済み）のコンテンツファイルを取得するための操作である。
【０２８１】
なお、図１４では、携帯端末Ａが表示装置Ｄに表示中のコンテンツファイルを取得する動作を例にとって説明するが、携帯端末Ｂ，Ｃいずれでも同様の動作が可能である。
【０２８２】
なお、図１４は、携帯端末Ａが表示装置Ｄに表示中のコンテンツファイルを取得するための動作の一例を示す図であって、携帯端末Ａの動作はこれに限定されるものではない。
【０２８３】
ステップＳ１４０１では、携帯端末Ａは「コンテンツファイル表示要求メッセージ」と共にコンテンツファイルａ１を表示装置Ｄに送信する。この送信の際には、図中、矢印で示すように、携帯端末Ａでは、コンテンツファイルａ１を表示装置Ｄに表示するためのユーザ操作が行われている。また、この送信の際、携帯端末Ａは、コンテンツファイルａ１の情報（コンテンツファイル名、コンテンツファイルの表示開始時間１１：５０：００）を記憶する。
【０２８４】
ステップＳ１４０３では、表示装置Ｄは、携帯端末Ａから受信した「コンテンツファイル表示要求メッセージ」に基づき、携帯端末Ａのコンテンツファイルａ１を表示する。
【０２８５】
ステップＳ１４０５では、携帯端末Ｃは「コンテンツファイル表示要求メッセージ」と共にコンテンツファイルｃ１を表示装置Ｄに送信する。この送信の際には、図中、矢印で示すように、携帯端末Ｃでは、コンテンツファイルｃ１を表示装置Ｄに表示するためのユーザ操作が行われている。また、この送信の際、携帯端末Ｃは、コンテンツファイルｃ１の情報（コンテンツファイル名、コンテンツファイルの表示開始時間１１：５０：１０）を記憶する。
【０２８６】
ステップＳ１４０７では、表示装置Ｄは、携帯端末Ｃから受信した「コンテンツファイル表示要求メッセージ」に基づき、携帯端末Ｃのコンテンツファイルｃ１を表示する。
【０２８７】
ステップＳ１４０９では、携帯端末Ｂは「コンテンツファイル表示要求メッセージ」と共にコンテンツファイルｂ１を表示装置Ｄに送信する。この送信の際には、図中、矢印で示すように、携帯端末Ｂでは、コンテンツファイルｂ１を表示装置Ｄに表示するためのユーザ操作が行われている。また、この送信の際、携帯端末Ｂは、コンテンツファイルｂ１の情報（コンテンツファイル名、コンテンツファイルの表示開始時間１１：５０：２０）を記憶する。
【０２８８】
ステップＳ１４１１では、表示装置Ｄは、携帯端末Ｂから受信した「コンテンツファイル表示要求メッセージ」に基づき、携帯端末Ｂのコンテンツファイルｂ１を表示する。
【０２８９】
ステップＳ１４１３では、携帯端末Ａは「コンテンツファイル表示要求メッセージ」と共にコンテンツファイルａｎを表示装置Ｄに送信する。この送信の際には、図中、矢印で示すように、携帯端末Ａでは、コンテンツファイルａｎを表示装置Ｄに表示するためのユーザ操作が行われている。また、この送信の際、携帯端末Ａは、コンテンツファイルａ１の情報に加えて、このコンテンツファイルａｎの情報（コンテンツファイル名、コンテンツファイルの表示開始時間１２：００：００）を記憶する。
【０２９０】
ステップＳ１４１５では、表示装置Ｄは、携帯端末Ａから受信した「コンテンツファイル表示要求メッセージ」に基づき、携帯端末Ａのコンテンツファイルａｎを表示する。
【０２９１】
ステップＳ１４１７では、携帯端末Ｃは「コンテンツファイル表示要求メッセージ」と共にコンテンツファイルｃｎを表示装置Ｄに送信する。この送信の際には、図中、矢印で示すように、携帯端末Ｃでは、コンテンツファイルｃｎを表示装置Ｄに表示するためのユーザ操作が行われている。また、この送信の際、携帯端末Ｃは、コンテンツファイルｃ１の情報に加えて、このコンテンツファイルｃｎの情報（コンテンツファイル名、コンテンツファイルの表示開始時間１２：００：１０）を記憶する。
【０２９２】
ステップＳ１４１９では、表示装置Ｄは、携帯端末Ｃから受信した「コンテンツファイル表示要求メッセージ」に基づき、携帯端末Ｃのコンテンツファイルｃｎを表示する。
【０２９３】
ステップＳ１４２１では、携帯端末Ｂは「コンテンツファイル表示要求メッセージ」と共にコンテンツファイルｂｎを表示装置Ｄに送信する。この送信の際には、図中、矢印で示すように、携帯端末Ｂでは、コンテンツファイルｂｎを表示装置Ｄに表示するためのユーザ操作が行われている。また、この送信の際、携帯端末Ｂは、コンテンツファイルｂ１の情報に加えて、このコンテンツファイルｂｎの情報（コンテンツファイル名、コンテンツファイルの表示開始時間１２：００：２０）を記憶する。
【０２９４】
ステップＳ１４２３では、表示装置Ｄは、携帯端末Ｂから受信した「コンテンツファイル表示要求メッセージ」に基づき、携帯端末Ｂのコンテンツファイルｂｎを表示する。
【０２９５】
（コンテンツファイル取得操作の開始）
ステップＳ１４２４では、携帯端末Ａは、他の携帯端末Ｂ，Ｃ，及び表示装置Ｄ向けに、「コンテンツファイル所有者問い合わせメッセージ」の生成時間（すなわち、コンテンツファイル取得のための操作開始時間１２：００：２３）を示す情報を含む「コンテンツファイル所有者問い合わせメッセージ」を生成する。この生成の際、携帯端末Ａは、コンテンツファイル取得操作開始時間として、この「コンテンツファイル所有者問い合わせメッセージ」を生成した時間（１２：００：２３）を記憶する。また、この際には、図中、矢印で示すように、携帯端末Ａでは、コンテンツファイル取得のためのユーザ操作が開始されているが、まだ確定していない。つまり、ステップＳ１４２４では、コンテンツファイル取得処理は開始されているが、この「コンテンツファイル所有者問い合わせメッセージ」は携帯端末Ａから他の携帯端末Ｂ，Ｃ，及び表示装置Ｄへは送信されていない。
【０２９６】
（割り込み（ユーザ操作））
ステップＳ１４２５では、携帯端末Ｂは「コンテンツファイル表示要求メッセージ」と共にコンテンツファイルｂｎ＋１を表示装置Ｄに送信する。この送信の際には、図中、矢印で示すように、携帯端末Ｂでは、コンテンツファイルｂｎ＋１を表示装置Ｄに表示するためのユーザ操作が行われている。また、この送信の際、表示装置Ｄは、コンテンツファイルｂ１、ｂｎの情報に加えて、このコンテンツファイルｂｎ＋１の情報（コンテンツファイル名、コンテンツファイルの表示開始時間１２：００：３０）を記憶する。
【０２９７】
ステップＳ１４２７では、表示装置Ｄは、携帯端末Ｂから受信した「コンテンツファイル表示要求メッセージ」に基づき、携帯端末Ｂのコンテンツファイルｂｎ＋１を表示する。
【０２９８】
（コンテンツファイル取得操作の確定）
ステップＳ１４２９，Ｓ１４３１，Ｓ１４３３では、携帯端末Ａは、他の携帯端末Ｂ，Ｃ，及び表示装置Ｄ向けに、「コンテンツファイル所有者問い合わせメッセージ」の生成時間（すなわち、コンテンツファイル取得のための操作開始時間１２：００：２３）を示す情報を含む「コンテンツファイル所有者問い合わせメッセージ」を送信する。この際、図中、矢印で示すように、携帯端末Ａでは、コンテンツファイル取得のためのユーザ操作が確定している。つまり、ステップＳ１４２９，Ｓ１４３１，Ｓ１４３３では、この「コンテンツファイル所有者問い合わせメッセージ」は携帯端末Ａから他の携帯端末Ｂ，Ｃ、および表示装置Ｄへ一斉送信（ブロードキャスト）されている。なお、ステップＳ１４２９、ステップＳ１４３１、ステップＳ１４３３において、携帯端末Ａは、表示装置Ｄで表示されているコンテンツファイルおよび所有者を特定できていない。
【０２９９】
ステップＳ１４３５では、携帯端末Ｂは、「コンテンツファイル所有者問い合わせメッセージ」の生成時間（つまり、コンテンツファイル取得のための操作開始時間１２：００：２３）に表示されていたコンテンツファイル名（コンテンツファイルｂｎ）とその表示開始時間を示す「コンテンツファイル所有者問い合わせ応答メッセージ」を携帯端末Ａに送信する。
【０３００】
ステップＳ１４３７では、携帯端末Ｃは、「コンテンツファイル所有者問い合わせメッセージ」の生成時間（つまり、コンテンツファイル取得のための操作開始時間１２：００：２３）に表示されていたコンテンツファイル名（コンテンツファイルｃｎ）とその表示開始時間を示す「コンテンツファイル所有者問い合わせ応答メッセージ」を携帯端末Ａに送信する。
【０３０１】
ステップＳ１４３９では、表示装置Ｄは、コンテンツファイル名（ＮＵＬＬ）とその表示開始時間（００：００：００）を示す「コンテンツファイル所有者問い合わせ応答メッセージ」を携帯端末Ａに送信する。この場合、表示装置Ｄは、コンテンツファイルの情報を保持していないので、表示開始時間として００：００：００を、コンテンツファイル名として、ＮＵＬＬを携帯端末Ａに送信する。
【０３０２】
（コンテンツファイルの所有者特定）
ステップＳ１４４１では、携帯端末Ａは、各携帯端末Ｂ、Ｃ、及び表示装置Ｄから受信した「コンテンツファイル所有者問い合わせ応答メッセージ」に含まれるコンテンツファイルの情報と、自端末で記憶している「コンテンツファイル所有者問い合わせメッセージ」を生成した時間（１２：００：２３）とから、コンテンツファイル取得操作を開始した時間（１２：００：２３）に、表示装置Ｄに表示していたコンテンツファイルｂｎを特定することができる。
ステップＳ１４４３では、携帯端末Ａは、特定したコンテンツファイルｂｎの所有者である携帯端末Ｂに「コンテンツファイル取得要求メッセージ」を送信する。
【０３０３】
ステップＳ１４４５は、携帯端末Ｂは、携帯端末Ａから受信した「コンテンツファイル取得要求メッセージ」に基づき、該当するコンテンツファイルｂｎを携帯端末Ａに送信する。
【０３０４】
このように、本実施の形態では、所望のコンテンツファイルを取得するために、この所望のコンテンツファイルを保持する端末を特定する、またはフォルダ階層構造を検索するという、ユーザにとって煩わしい操作を経ずに、簡単なユーザ操作で、携帯端末Ａは、実際にコンテンツファイルの取得操作を開始した時に表示装置Ｄに表示されていたコンテンツファイルを、このコンテンツファイルの所有者（携帯端末Ｂ）から取得することができる。
【０３０５】
なお、図１４に示す動作例１１において、表示装置Ｄで自端末のコンテンツファイルを表示中に、他の携帯端末が別のコンテンツファイルを表示した場合には、表示装置Ｄから表示停止通知として機能するメッセージが送信されることが考えられる。例えば、ステップＳ１４０７では、表示装置Ｄは、携帯端末Ｃのコンテンツファイルｃ１を表示すると、携帯端末Ａに、表示停止通知として機能するメッセージを送信する。なお、ステップＳ１４３５、ステップＳ１４３７、ステップＳ１４３９では、表示装置Ｄで自端末のコンテンツファイルが表示中であれば、コンテンツファイルの情報に直近の表示開始時間を含めた「コンテンツファイル所有者問い合わせ応答メッセージ」が送信されればよい。表示装置Ｄで自端末のコンテンツファイルが表示中でなければ、コンテンツファイルの情報に００：００：００を含めた「コンテンツファイル所有者問い合わせ応答メッセージ」が送信されればよい。
【０３０６】
なお、本実施の形態において、表示装置Ｄ、および自端末のコンテンツファイルが表示装置Ｄで表示中でない携帯端末が送信する、前記「コンテンツファイル所有者問い合わせ応答メッセージ」に含まれる表示開始時間（００：００：００）、およびコンテンツファイル名（ＮＵＬＬ）は一例であり、これに限定されない。
【０３０７】
なお、上記実施の形態の動作例１〜１１では、携帯端末Ａと表示装置Ｄとを分けて説明したが、携帯端末Ａの機能および表示装置Ｄの機能の両機能を有する携帯端末および表示装置でも実現可能である。
【０３０８】
図１６（ａ）、（ｂ）を参照して、本実施の形態における、コンテンツファイルの表示及びコンテンツファイルの取得のためユーザインターフェース操作について説明する。図１６（ａ）、（ｂ）では、ユーザ操作がタッチパネル上で実行される例をとって説明するが、本実施の形態において、ユーザ操作は、タッチパネル上の操作に限らない。
【０３０９】
図１６（ａ）は、コンテンツファイルを提供する側（携帯端末Ａ，Ｂ，Ｃ）からコンテンツファイルを再生する側（表示装置Ｄ）へコンテンツファイルの再生要求（Ｐｕｓｈ）を行うためのユーザ操作を示す。これは通常のＤＬＮＡで用いられるＰｕｓｈ操作に対応するユーザ操作である。例えば、このＰｕｓｈ操作に対応するユーザ操作は、タッチパネル１６１０上で表示コンテンツファイルのアイコン１６０３を、図中矢印１６０１の指す方向（表示装置Ｄへ向かう方向）にスライドさせることで実現できる。
【０３１０】
図１６（ｂ）は、コンテンツファイルを提供する側（携帯端末Ａ，Ｂ，Ｃ）からコンテンツファイルを再生する側（表示装置Ｄ）へコンテンツファイルの所有者問い合わせ、およびコンテンツファイルの取得要求（ＧＥＴ）を行うためのユーザ操作を示す。これはＤＬＮＡに用いられるコマンドを拡張することにより実現できる。例えば、このコンテンツファイルの所有者問い合わせ、およびコンテンツファイルの取得要求（ＧＥＴ）に対応するユーザ操作は、表示装置Ｄにコンテンツファイルのデータ１６０７が表示されている場合に、携帯端末Ａのタッチパネル１６１０上で、ユーザの指１６０９を図中矢印１６０５の指す方向（ユーザから見ると手前）にスライドさせることで実現できる。
【０３１１】
また、このコンテンツファイルの所有者問い合わせ、およびコンテンツファイルの取得要求（ＧＥＴ）は、ユーザの指１６０９がタッチパネル１６１０に接触した際に開始され（例えば、図４のステップＳ４１６、図８のステップＳ８１６、図１１のステップＳ１１１６、図１４のステップＳ１４２４）、図中矢印１６０５の指す方向（ユーザから見ると手前）にユーザの指１６０９がスライドし終わると確定される（例えば、図４のステップＳ４２１、図８のステップＳ８２１、図１１のステップＳ１１２１、図１４のステップＳ１４２９，１４３１，１４３３）。つまり、ユーザの指１６０９がタッチパネル１６１０上で接触してから動いている間は、このコンテンツファイルの所有者問い合わせ、およびコンテンツファイルの取得要求（ＧＥＴ）は携帯端末Ａから送信されない。なお、ユーザの指がタッチパネル上で接触してから動いている間はメッセージが送信されないのは一例で、これに限定されない。
【産業上の利用可能性】
【０３１２】
本発明に係る通信システム、通信方法は、簡単なユーザ操作で、所望のコンテンツファイルを取得することができるという効果を有し、ＤＬＮＡを利用した通信システム、電子機器等として有用である。
【符号の説明】
【０３１３】
１０３        入力処理部
１０５        ＤＬＮＡ処理部
１０７        通信制御部
１０９        所有者問い合わせ処理部
１１１        操作開始時間記憶部
５０１        通信制御部
５０３        ＤＬＮＡ処理部
５０５        表示制御部
５０７        コンテンツファイル情報記憶部
５０９        問い合わせファイル判定部
５１１        表示部
１６１０      タッチパネル
Ａ，Ｂ，Ｃ    携帯端末
Ｄ            表示装置
【図１】
2013097559.tif 000003
【図２】
2013097559.tif 000004
【図３】
2013097559.tif 000005
【図４】
2013097559.tif 000006
【図５】
2013097559.tif 000007
【図６】
2013097559.tif 000008
【図７】
2013097559.tif 000009
【図８】
2013097559.tif 000010
【図９】
2013097559.tif 000011
【図１０】
2013097559.tif 000012
【図１１】
2013097559.tif 000013
【図１２】
2013097559.tif 000014
【図１３】
2013097559.tif 000015
【図１４】
2013097559.tif 000016
【図１５】
2013097559.tif 000017
【図１６】
2013097559.tif 000018